(57)【要約】  【課題】  第１の情報通信機に表示した情報を、送信操作を行うことなく、第２の情報通信機に表示させることができる情報表示方法、情報表示システム及び該情報表示システムを構成する制御装置を提供する。  【解決手段】  第１の情報通信機１１は、表示する情報を特定する特定記号及び前記情報を表示させる第２の情報通信機１２を指定する指定情報を制御装置５へ送信し、制御装置５は、前記特定記号及び指定情報を受信し、受信した特定記号を、前記情報を提供する情報提供装置７及び受信した指定情報により指定された第２の情報通信機１２へ送信する。第２の情報通信機１２は、受信した特定記号を情報提供装置７へ送信することにより、前記特定記号により特定される情報を表示する。【選択図】      図１
2005210236.tif 000002
【特許請求の範囲】
【請求項１】
第１の情報通信機に表示した情報を、第２の情報通信機に表示させる情報表示方法であって、
前記第１の情報通信機は、
情報を特定する特定記号及び前記第２の情報通信機を指定する指定情報を、前記特定記号の送受信を制御する制御装置へ送信し、
該制御装置は、送信された特定記号及び指定情報を受信し、受信した特定記号を、情報を提供する情報提供装置及び受信した指定情報により指定された第２の情報通信機へ送信し、
第２の情報通信機は、
受信した特定記号を前記情報提供装置へ送信し、
該情報提供装置は、
前記制御装置が送信した特定記号及び前記第２の情報通信機が送信した特定記号を受信し、
前記制御装置から受信した特定記号により特定される情報を前記第１の情報通信機へ送信し、前記第２の情報通信機から受信した特定記号により特定される情報を前記第２の情報通信機へ送信し、
前記第１の情報通信機は、
さらに、受信した情報を表示し、
前記第２の情報通信機は、
さらに、受信した情報を表示することを特徴とする情報表示方法。
【請求項２】
受信した情報を表示した前記第２の情報通信機は、
情報を特定する特定記号を前記制御装置へ送信し、
該制御装置は、
送信された特定信号を受信し、受信した特定記号を前記情報提供装置及び前記第１の情報通信機へ送信し、
前記第１の情報通信機は、
受信した特定記号を前記情報提供装置へ送信し、
該情報提供装置は、
前記制御装置が送信した特定記号及び前記第１の情報通信機が送信した特定記号を受信し、
前記制御装置から受信した特定記号により特定される情報を前記第２の情報通信機へ送信し、前記第１の情報通信機から受信した特定記号により特定される情報を前記第１の情報通信機へ送信し、
前記第２の情報通信機は、
さらに、受信した情報を表示し、
前記第１の情報通信機は、
さらに、受信した情報を表示することを特徴とする請求項１に記載された情報表示方法。
【請求項３】
前記第１及び第２の情報通信機は、音声通話中に、情報を特定する特定記号を送信することを特徴とする請求項１又は請求項２に記載された情報表示方法。
【請求項４】
前記制御装置は、受信した特定記号及び指定情報を記憶し、前記指定情報により指定された第２の情報通信機からの要求に応じて、前記特定記号を、前記第２の情報通信機へ送信することを特徴とする請求項１乃至請求項３に記載された情報表示方法。
【請求項５】
前記制御装置は、前記第１（又は第２）の情報通信機が、前記第２（又は第１）の情報通信機から送信される特定記号の受信を許容するか否かを判定し、許容する場合は、前記特定記号を、前記第１（又は第２）の情報通信機へ送信することを特徴とする請求項１乃至請求項４に記載された情報表示方法。
【請求項６】
前記制御装置は、情報を特定記号に対応付けて記憶し、前記特定記号により特定される情報を、前記特定記号を送信した第１の情報通信機、及び前記第１の情報通信機が送信した指定情報により指定された第２の情報通信機へ送信することを特徴とする請求項１乃至請求項５に記載された情報表示方法。
【請求項７】
第１の情報通信機に表示した情報を、第２の情報通信機に表示させる情報表示方法であって、
前記第１の情報通信機は、
情報を特定する特定記号及び前記第２の情報通信機を指定する指定情報を、前記情報の送受信を制御する制御装置へ送信し、
前記第２の情報通信機は、
前記特定記号により特定される情報を要求する情報要求信号及び前記第１の情報通信機を指定する指定情報を、前記制御装置へ送信し、
該制御装置は、
送信された特定記号、指定情報、及び情報要求信号を受信し、受信した特定記号を、情報を提供する情報提供装置へ送信し、前記特定記号を受信した前記情報提供装置が送信した前記特定記号により特定される情報を受信し、受信した指定情報に基づいて、第１の情報通信機及び第２の情報通信機が指定する情報通信機夫々が第２の情報通信機及び第１の情報通信機に一致するか否かを判定し、判定結果に基づいて、受信した情報を、前記第１の情報通信機及び第２の情報通信機へ送信し、
前記第１の情報通信機及び第２の情報通信機夫々は、
受信した情報を表示することを特徴とする情報表示方法。
【請求項８】
受信した情報を表示した前記第２の情報通信機は、
情報を特定する特定記号を前記制御装置へ送信し、
前記第１の情報通信機は、
前記特定記号により特定される情報を要求する情報要求信号を前記制御装置へ送信し、
該制御装置は、
送信された特定記号及び情報要求信号を受信し、受信した特定記号を、情報を提供する情報提供装置へ送信し、前記特定記号を受信した前記情報提供装置が送信した前記特定記号により特定される情報を受信し、受信した情報を、前記第１の情報通信機及び第２の情報通信機へ送信し、
前記第１の情報通信機及び第２の情報通信機夫々は、
受信した情報を表示することを特徴とする請求項７に記載された情報表示方法。
【請求項９】
前記第１及び第２の情報通信機は、音声通話中に、情報を特定する特定記号及び該特定記号により特定される情報を要求する情報要求信号を送信することを特徴とする請求項７又は請求項８に記載された情報表示方法。
【請求項１０】
前記制御装置は、前記特定記号により特定される情報と関連付けて、該情報を識別する識別記号を記憶することを特徴とする請求項７乃至請求項９に記載された情報表示方法。
【請求項１１】
前記制御装置は、前記特定記号及び／又は該特定記号により特定される情報を識別する識別記号を記憶することを特徴とする請求項７乃至請求項９に記載された情報表示方法。
【請求項１２】
前記制御装置は、前記特定記号を送信した第１（又は第２）の情報通信機が表示する情報と、前記情報要求信号を送信した第２（又は第１）の情報通信機が表示する情報とが一致するか否かを判定し、判定結果に基づいて、前記第１（又は第２）の情報通信機に表示する情報を前記第２（又は第１）の情報通信機へ送信することを特徴とする請求項７乃至請求項１１に記載された情報表示方法。
【請求項１３】
前記制御装置は、前記判定結果に基づいて、前記情報要求信号の再送信を要求する再送信要求信号を前記第２（又は第１）の情報通信機へ送信することを特徴とする請求項１２に記載された情報表示方法。
【請求項１４】
前記制御装置は、前記第２（又は第１）の情報通信機が、前記第１（又は第２）の情報通信機から送信される特定記号により特定される情報の受信を許容するか否かを判定し、許容する場合は、前記情報を、前記第２（又は第１）の情報通信機へ送信することを特徴とする請求項７乃至請求項１３に記載された情報表示方法。
【請求項１５】
前記制御装置は、情報を特定記号に対応付けて記憶し、前記特定記号により特定される情報を、前記特定記号を送信した第１の情報通信機、及び前記特定記号により特定される情報を要求する情報要求信号を送信した第２の情報通信機へ送信することを特徴とする請求項７乃至請求項１４に記載された情報表示方法。
【請求項１６】
情報を表示する情報表示手段を備えた第１の情報通信機に表示した情報を、情報を表示する情報表示手段を備えた第２の情報通信機に表示させる情報表示システムであって、
前記第１の情報通信機は、
情報を特定する特定記号及び前記第２の情報通信機を指定する指定情報を、前記特定記号の送受信を制御する制御装置へ送信する送信手段を備え、
該制御装置は、送信された特定記号及び指定情報を受信する受信手段と、
受信した特定記号を、情報を提供する情報提供装置及び受信した指定情報により指定された第２の情報通信機へ送信する送信手段と
を備え、
第２の情報通信機は、
受信した特定記号を前記情報提供装置へ送信する送信手段を備え、
該情報提供装置は、
前記制御装置が送信した特定記号及び前記第２の情報通信機が送信した特定記号を受信する受信手段と、
前記制御装置から受信した特定記号により特定される情報を前記第１の情報通信機へ送信し、前記第２の情報通信機から受信した特定記号により特定される情報を前記第２の情報通信機へ送信する送信手段とを備えることを特徴とする情報表示システム。
【請求項１７】
前記第２の情報通信機の送信手段は、特定記号を前記制御装置へ送信し、
前記制御装置の送信手段は、
受信した特定記号を前記第１の情報通信機へ送信し、
前記第１の情報通信機の送信手段は、
受信した特定記号を前記情報提供装置へ送信し、
前記情報提供装置の送信手段は、
前記第１の情報通信機から受信した特定記号により特定される情報を前記第１の情報通信機へ送信すべくなしてあることを特徴とする請求項１６に記載された情報表示システム。
【請求項１８】
前記第１及び第２の情報通信機は、音声通話が同時可能に構成してあることを特徴とする請求項１６又は請求項１７に記載された情報表示システム。
【請求項１９】
前記制御装置は、受信した特定記号及び指定情報を記憶する記憶手段を備え、前記制御装置の送信手段は、前記指定情報により指定された第２の情報通信機からの要求に応じて、前記特定記号を、前記第２の情報通信機へ送信すべくなしてあることを特徴とする請求項１６乃至請求項１８に記載された情報表示システム。
【請求項２０】
前記制御装置は、前記第１（又は第２）の情報通信機が、前記第２（又は第１）の情報通信機から送信される特定記号の受信を許容するか否かを判定する判定手段を備え、許可する場合は、前記制御装置の送信手段は、前記特定記号を前記第１（又は第２）の情報通信機へ送信すべくなしてあることを特徴とする請求項１６乃至請求項１９に記載された情報表示システム。
【請求項２１】
前記制御装置の記憶手段は、情報を特定記号に対応付けて記憶し、前記制御装置の送信手段は、前記特定記号により特定される情報を、前記特定記号を送信した第１の情報通信機、及び前記第１の情報通信機が送信した指定情報により指定された第２の情報通信機へ送信すべくなしてあることを特徴とする請求項１６乃至請求項２０に記載された情報表示システム。
【請求項２２】
情報を表示する情報表示手段を備えた第１の情報通信機に表示した情報を、情報を表示する情報表示手段を備えた第２の情報通信機に表示させる情報表示システムであって、
前記第１の情報通信機は、
情報を特定する特定記号及び前記第２の情報通信機を指定する指定情報を、前記情報の送受信を制御する制御装置へ送信する送信手段を備え、
前記第２の情報通信機は、
前記特定記号により特定される情報を要求する情報要求信号及び前記第１の情報通信機を指定する指定情報を、前記制御装置へ送信する送信手段を備え、
該制御装置は、
送信された特定記号、指定情報、及び情報要求信号を受信する受信手段と、
受信した特定記号を、情報を提供する情報提供装置へ送信する送信手段と
を備え、
前記受信手段は、さらに、前記特定記号を受信した前記情報提供装置が送信した前記特定記号により特定される情報を受信し、
前記制御装置は、
受信した指定情報に基づいて、第１の情報通信機及び第２の情報通信機が指定する情報通信機夫々が第２の情報通信機及び第１の情報通信機に一致するか否かを判定する判定手段を備え、
前記制御装置の送信手段は、前記判定手段の判定結果に基づいて、受信した情報を、前記第１の情報通信機及び第２の情報通信機へ送信すべくなしてあることを特徴とする情報表示システム。
【請求項２３】
前記第２の情報通信機の送信手段は、情報を特定する特定記号を前記制御装置へ送信し、
前記第１の情報通信機の送信手段は、
前記特定記号により特定される情報を要求する情報要求信号を前記制御装置へ送信し、
該制御装置の受信手段は、
送信された特定記号及び情報要求信号を受信し、
前記制御装置の送信手段は、
受信した特定記号を、情報を提供する情報提供装置へ送信し、
前記制御装置の受信手段は、
さらに、前記特定記号を受信した前記情報提供装置が送信した前記特定記号により特定される情報を受信し、
前記制御装置の送信手段は、
さらに、受信した情報を、前記第１の情報通信機及び第２の情報通信機へ送信すべくなしてあることを特徴とする請求項２２に記載された情報表示システム。
【請求項２４】
前記第１及び第２の情報通信機は、音声通話が同時可能に構成してあることを特徴とする請求項２２又は請求項２３に記載された情報表示システム。
【請求項２５】
前記制御装置は、前記特定記号により特定される情報と関連付けて、該情報を識別する識別記号を記憶する記憶手段を備えることを特徴とする請求項２２乃至請求項２４に記載された情報表示システム。
【請求項２６】
前記制御装置は、前記特定記号及び／又は該特定記号により特定される情報を識別する識別記号を記憶する記憶手段を備えることを特徴とする請求項２２乃至請求項２４に記載された情報表示システム。
【請求項２７】
前記制御装置は、前記特定記号を送信した第１（又は第２）の情報通信機が表示する情報と、前記情報要求信号を送信した第２（又は第１）の情報通信機が表示する情報とが一致するか否かを判定する判定手段を備え、該判定手段が判定した結果に基づいて、前記制御装置の送信手段は、前記第１（又は第２）の情報通信機に表示する情報を前記第２（又は第１）の情報通信機へ送信すべくなしてあることを特徴とする請求項２２乃至請求項２６に記載された情報表示システム。
【請求項２８】
前記制御装置の送信手段は、前記判定手段が判定した結果に基づいて、前記情報要求信号の再送信を要求する再送信要求信号を前記第２（又は第１）の情報通信機へ送信すべくなしてあることを特徴とする請求項２７に記載された情報表示システム。
【請求項２９】
前記制御装置の判定手段は、前記第２（又は第１）の情報通信機が、前記第１（又は第２）の情報通信機から送信される特定記号により特定される情報の受信を許容するか否かを判定し、許容する場合は、前記制御装置の送信手段は、前記情報を、前記第２（又は第１）の情報通信機へ送信すべくなしてあることを特徴とする請求項２２乃至請求項２８に記載された情報表示システム。
【請求項３０】
前記制御装置の記憶手段は、情報を特定記号に対応付けて記憶し、
前記制御装置の送信手段は、前記特定記号により特定される情報を、前記特定記号を送信した第１の情報通信機、及び前記特定記号により特定される情報を要求する情報要求信号を送信した第２の情報通信機へ送信すべくなしてあることを特徴とする請求項２２乃至請求項２９に記載された情報表示システム。
【請求項３１】
第１の情報通信機に表示した情報を、第２の情報通信機に表示させるために、前記情報を特定する特定記号の送受信を制御する制御装置であって、
前記第１の情報通信機が送信した特定記号及び前記第２の情報通信機を指定する指定情報を受信する受信手段と、
受信した特定記号を、情報を提供する情報提供装置及び受信した指定情報により指定された第２の情報通信機へ送信する送信手段と
を備えることを特徴とする制御装置。
【請求項３２】
受信した特定記号及び指定情報を記憶する記憶手段を備え、前記制御装置の送信手段は、前記指定情報により指定された第２の情報通信機からの要求に応じて、前記特定記号を、前記第２の情報通信機へ送信すべくなしてあることを特徴とする請求項３１に記載された制御装置。
【請求項３３】
前記第１（又は第２）の情報通信機が、前記第２（又は第１）の情報通信機から送信される特定記号の受信を許容するか否かを判定する判定手段を備え、許容する場合は、前記制御装置の送信手段は、前記特定記号を前記第１（又は第２）の情報通信機へ送信すべくなしてあることを特徴とする請求項３１又は請求項３２に記載された制御装置。
【請求項３４】
前記制御装置の記憶手段は、情報を特定記号に対応付けて記憶し、前記制御装置の送信手段は、前記特定記号により特定される情報を、前記特定記号を送信した第１の情報通信機、及び前記第１の情報通信機が送信した指定情報により指定された第２の情報通信機へ送信すべくなしてあることを特徴とする請求項３１乃至請求項３３に記載された制御装置。
【請求項３５】
第１の情報通信機に表示した情報を、第２の情報通信機に表示させるために、前記情報の送受信を制御する制御装置であって、
前記第１の情報通信機が送信した特定記号及び指定情報、並びに前記第２の情報通信機が送信した情報要求信号及び指定情報を受信する受信手段と、
受信した特定記号を、情報を提供する情報提供装置へ送信する送信手段と
を備え、
前記受信手段は、さらに、前記特定記号を受信した前記情報提供装置が送信した前記特定記号により特定される情報を受信し、
前記制御装置は、
受信した指定情報に基づいて、第１の情報通信機及び第２の情報通信機が指定する情報通信機夫々が第２の情報通信機及び第１の情報通信機に一致するか否かを判定する判定手段を備え、
前記制御装置の送信手段は、さらに、前記判定手段の判定結果に基づいて、受信した情報を、前記第１の情報通信機及び第２の情報通信機へ送信すべくなしてあることを特徴とする制御装置。
【請求項３６】
前記特定記号により特定される情報と関連付けて、該情報を識別する識別記号を記憶する記憶手段を備えることを特徴とする請求項３５に記載された制御装置。
【請求項３７】
前記特定記号及び／又は該特定記号により特定される情報を識別する識別記号を記憶する記憶手段を備えることを特徴とする請求項３５に記載された制御装置。
【請求項３８】
前記特定記号を送信した第１（又は第２）の情報通信機が表示する情報と、前記情報要求信号を送信した第２（又は第１）の情報通信機が表示する情報とが一致するか否かを判定する判定手段を備え、該判定手段が判定した結果に基づいて、前記制御装置の送信手段は、前記第１（又は第２）の情報通信機に表示する情報を前記第２（又は第１）の情報通信機へ送信すべくなしてあることを特徴とする請求項３５乃至請求項３７に記載された制御装置。
【請求項３９】
前記送信手段は、前記判定手段が判定した結果に基づいて、前記情報要求信号の再送信を要求する再送信要求信号を前記第２（又は第１）の情報通信機へ送信すべくなしてあることを特徴とする請求項３８に記載された制御装置。
【請求項４０】
前記判定手段は、前記第２（又は第１）の情報通信機が、前記第１（又は第２）の情報通信機から送信される特定記号により特定される情報の受信を許容するか否かを判定し、許容する場合は、前記制御装置の送信手段は、前記情報を、前記第２（又は第１）の情報通信機へ送信すべくなしてあることを特徴とする請求項３５乃至請求項３９に記載された制御装置。
【請求項４１】
前記記憶手段は、情報を特定記号に対応付けて記憶し、前記制御装置の送信手段は、前記特定記号により特定される情報を、前記特定記号を送信した第１の情報通信機、及び前記特定記号により特定される情報を要求する情報要求信号を送信した第２の情報通信機へ送信すべくなしてあることを特徴とする請求項３５乃至請求項４０に記載された制御装置。
【発明の詳細な説明】
【技術分野】
【０００１】
本発明は、通信回線に接続された複数の情報通信機の間で、音声通話中に、同じ情報を表示するための情報表示方法、情報表示システム、及び該情報表示システムを構成する制御装置に関する。
【背景技術】
【０００２】
急速なブロードバンド化及びノート型パーソナルコンピュータなどの情報機器の高性能化に伴って、インターネット上に存在するさまざまな情報にアクセスできるサービスが増加している。
携帯電話機などの情報通信機においても、通信回線の大容量・高速通信の特徴を活用して、時間及び場所に拘束されずに、多彩なコンテンツを提供するサービスが利用できるようになってきた。
【０００３】
携帯電話機から必要な情報を得るためには、情報検索用の画面から検索し、又はＵＲＬ（Uniform Resource Locator）を入力することにより、前記携帯電話機に備えられたウェブブラウザを用いて、携帯電話機の画面上に表示することにより行われる。また、画面上に表示されたリンク先を選択操作することにより、さらに必要な情報を得ることができる。
【０００４】
一方で、必要な情報にアクセスするだけではなく、携帯電話機の画面に表示された情報を、通話している相手と共有したい場合がある。例えば、遠隔地の顧客に対して、状況に応じて、商品に関する情報を選択しながら説明する場合がある。また、友人同士で店舗、観光地又は待ち合わせ場所などを探すような場合もある。
【０００５】
そこで、送信者側の携帯電話機の画面に表示される画像及び該画像に対する送信者の操作履歴を、送信者側の携帯電話機から受信者側の携帯電話機へ送信することにより、送信者側の携帯電話機に表示される画像と同じ画像を受信者側の携帯電話機の画面に表示する方法が提案されている（特許文献１参照）。
【特許文献１】特開２００３−１３４５６１号公報
【発明の開示】
【発明が解決しようとする課題】
【０００６】
しかしながら、特許文献１による方法では、送信者側の携帯電話機に表示した画像を、受信者側の携帯電話機に表示させるためには、前記画像を送信するための送信操作が必要であった。また、送信者側の携帯電話機において表示した画像に対して、スクロール操作を行って、表示されている画像を変化させても、その都度送信操作を行わない限り、前記スクロール操作の操作履歴が記憶されるだけで、送信者側の携帯電話機に表示される画像の変化を、変化の都度、受信者側の携帯電話機に表示させることができなかった。
【０００７】
すなわち、送信者が送信操作を行わない限り、受信者は送信者側の携帯電話機に表示された画像と同じ画像を見ることができない。また、送信者が一旦送信操作を行った後へ送信者が受信者に別の画像を見せるためには、再度送信操作を行う必要があり、同じ画像を見るためには、送信操作を繰り返し行う必要があった。
【０００８】
本発明は、斯かる事情に鑑みてなされたものであり、情報の表示可能な情報通信機が送信した前記情報を特定する特定記号の通信を制御する制御装置が、第１の情報通信機（携帯電話機）から送信された特定記号を受信し、受信した特定記号を第２の情報通信機（携帯電話機）へ送信することにより、第１の情報通信機に表示した情報を、送信操作をすることなく、第２の情報通信機に表示させることができ、同様に、第２の情報通信機に表示した情報を、送信操作をすることなく、第１の情報通信機に表示させることができる情報表示方法、情報表示システム、及び該情報表示システムを構成する制御装置を提供することを目的とする。
【０００９】
また、本発明の他の目的は、音声通話中に、第１の情報通信機に表示した情報を、送信操作をすることなく、第２の情報通信機に表示させることができる情報表示方法、情報表示システム、及び該情報表示システムを構成する制御装置を提供することにある。
【００１０】
また、本発明の他の目的は、前記制御装置が、受信した特定記号及び指定情報を記憶し、前記指定情報により指定された情報通信機からの要求により、前記特定記号を前記情報通信機へ送信することにより、前記指定情報により指定された情報通信機を操作するユーザーが、都合のよい時に前記特定記号を受信して、該特定記号により特定した情報を表示することができる情報表示方法、情報表示システム、及び該情報表示システムを構成する制御装置を提供することにある。
【００１１】
また、本発明の他の目的は、前記制御装置が、前記第１の情報通信機と、前記第２の情報通信機とのいずれか、又は両方が、特定記号の受信を許容するかどうかを判定することにより、特定記号により特定した情報を、相手側の情報通信機に表示する前に、相手方の都合を相互に確認することができる情報表示方法、情報表示システム、及び該情報表示システムを構成する制御装置を提供することにある。
【００１２】
また、本発明の他の目的は、前記制御装置が、写真などの情報を特定記号に対応付けて記憶し、情報通信機から送信された特定記号を受信し、受信した特定記号が記憶されている場合には、受信した特定記号を前記情報通信機及び指定情報により指定された情報通信機へ送信することにより、音声通話中においても、制御装置に記憶された写真などの情報を、自分の情報通信機に表示させ、送信操作をすることなく、相手側の情報通信機にも表示させることができ、また、写真などの情報を情報通信機に記憶する必要がない情報表示方法、情報表示システム、及び該情報表示システムを構成する制御装置を提供することにある。
【００１３】
また、本発明の他の目的は、前記制御装置が、前記指定情報により指定された情報通信機が、前記特定記号の受信を許容されているかを判定することにより、情報の受信を制限することができる情報表示方法、情報表示システム、及び該情報表示システムを構成する制御装置を提供することにある。
【００１４】
また、本発明の他の目的は、情報の表示可能な情報通信機に表示する情報の通信を制御する制御装置が、第１の情報通信機から送信された特定記号を受信し、第２の情報通信機から前記特定記号により特定される情報の情報要求信号を受信し、受信した特定記号により特定される情報を、第１及び第２の情報通信機へ送信することにより、第１の情報通信機に表示した情報を、送信操作することなく、第２の情報通信機に表示させることができ、同様に、第２の情報通信機に表示した情報を、送信操作することなく、第１の情報通信機に表示させることができる情報表示方法、情報表示システム、及び該情報表示システムを構成する制御装置を提供することにある。
【００１５】
また、本発明の他の目的は、前記制御装置が、前記特定記号により特定される情報と関連付けて該情報を識別する識別記号を記憶することにより、第１及び第２の情報通信機に表示する情報を識別することができる情報表示方法、情報表示システム、及び該情報表示システムを構成する制御装置を提供することにある。
【００１６】
また、本発明の他の目的は、前記制御装置が、前記特定記号及び／又は該特定記号により特定される情報を識別する識別記号を記憶することにより、第１及び第２の情報通信機に表示する情報を識別することができる情報表示方法、情報表示システム、及び該情報表示システムを構成する制御装置を提供することにある。
【００１７】
また、本発明の他の目的は、前記制御装置が、第２の情報通信機から受信した情報要求信号に基づいて、第１の情報通信機に表示した情報が更新されたか否かを判定して、判定結果に基づいて、前記第１の情報通信機に表示した情報が更新された場合に、送信操作することなく、前記情報を前記第２の情報通信機に表示させることができ、同様に、前記第２の情報通信機に表示した情報が更新された場合に、送信操作することなく、前記情報を前記第１の情報通信機に表示させることができる情報表示方法、情報表示システム、及び該情報表示システムを構成する制御装置を提供することにある。
【００１８】
また、本発明の他の目的は、第１の情報通信機に表示された情報が更新されていない場合に、前記制御装置が、情報要求信号の再送信を要求する再送信要求信号を、前記第２の情報通信機へ送信することにより、情報通信機を操作するユーザーに、再度情報の要求を促すことができる情報表示方法、情報表示システム、及び該情報表示システムを構成する制御装置を提供することにある。
【００１９】
また、本発明の他の目的は、前記制御装置が、写真などの情報を特定記号に対応付けて記憶し、情報通信機から送信された特定記号を受信し、受信した特定記号が記憶されている場合には、前記特定記号により特定される情報を、第１及び第２の情報通信機へ送信することにより、制御装置に記憶された写真などの情報を、自分の情報通信機に表示させ、送信操作をすることなく、相手側の情報通信機にも表示させることができ、また、写真などの情報を情報通信機に記憶する必要がない情報表示方法、情報表示システム、及び該情報表示システムを構成する制御装置を提供することにある。
【課題を解決するための手段】
【００２０】
本発明に係る情報表示方法は、第１の情報通信機に表示した情報を、第２の情報通信機に表示させる情報表示方法であって、前記第１の情報通信機は、情報を特定する特定記号及び前記第２の情報通信機を指定する指定情報を、前記特定記号の送受信を制御する制御装置へ送信し、該制御装置は、送信された特定記号及び指定情報を受信し、受信した特定記号を、情報を提供する情報提供装置及び受信した指定情報により指定された第２の情報通信機へ送信し、第２の情報通信機は、受信した特定記号を前記情報提供装置へ送信し、
該情報提供装置は、前記制御装置が送信した特定記号及び前記第２の情報通信機が送信した特定記号を受信し、前記制御装置から受信した特定記号により特定される情報を前記第１の情報通信機へ送信し、前記第２の情報通信機から受信した特定記号により特定される情報を前記第２の情報通信機へ送信し、前記第１の情報通信機は、さらに、受信した情報を表示し、前記第２の情報通信機は、さらに、受信した情報を表示することを特徴とする。
【００２１】
また、本発明に係る情報表示方法は、受信した情報を表示した前記第２の情報通信機は、情報を特定する特定記号を前記制御装置へ送信し、該制御装置は、送信された特定信号を受信し、受信した特定記号を前記情報提供装置及び前記第１の情報通信機へ送信し、前記第１の情報通信機は、受信した特定記号を前記情報提供装置へ送信し、該情報提供装置は、前記制御装置が送信した特定記号及び前記第１の情報通信機が送信した特定記号を受信し、前記制御装置から受信した特定記号により特定される情報を前記第２の情報通信機へ送信し、前記第１の情報通信機から受信した特定記号により特定される情報を前記第１の情報通信機へ送信し、前記第２の情報通信機は、さらに、受信した情報を表示し、前記第１の情報通信機は、さらに、受信した情報を表示することを特徴とする。
【００２２】
また、本発明に係る情報表示方法は、前記第１及び第２の情報通信機は、音声通話中に、情報を特定する特定記号を送信することを特徴とする。
【００２３】
また、本発明に係る情報表示方法は、前記制御装置は、受信した特定記号及び指定情報を記憶し、前記指定情報により指定された第２の情報通信機からの要求に応じて、前記特定記号を、前記第２の情報通信機へ送信することを特徴とする。
【００２４】
また、本発明に係る情報表示方法は、前記制御装置は、前記第１（又は第２）の情報通信機が、前記第２（又は第１）の情報通信機から送信される特定記号の受信を許容するか否かを判定し、許容する場合は、前記特定記号を、前記第１（又は第２）の情報通信機へ送信することを特徴とする。
【００２５】
また、本発明に係る情報表示方法は、前記制御装置は、情報を特定記号に対応付けて記憶し、前記特定記号により特定される情報を、前記特定記号を送信した第１の情報通信機、及び前記第１の情報通信機が送信した指定情報により指定された第２の情報通信機へ送信することを特徴とする。
【００２６】
また、本発明に係る情報表示方法は、第１の情報通信機に表示した情報を、第２の情報通信機に表示させる情報表示方法であって、前記第１の情報通信機は、情報を特定する特定記号及び前記第２の情報通信機を指定する指定情報を、前記情報の送受信を制御する制御装置へ送信し、前記第２の情報通信機は、前記特定記号により特定される情報を要求する情報要求信号及び前記第１の情報通信機を指定する指定情報を、前記制御装置へ送信し、該制御装置は、送信された特定記号、指定情報、及び情報要求信号を受信し、受信した特定記号を、情報を提供する情報提供装置へ送信し、前記特定記号を受信した前記情報提供装置が送信した前記特定記号により特定される情報を受信し、受信した指定情報に基づいて、第１の情報通信機及び第２の情報通信機が指定する情報通信機夫々が第２の情報通信機及び第１の情報通信機に一致するか否かを判定し、判定結果に基づいて、受信した情報を、前記第１の情報通信機及び第２の情報通信機へ送信し、前記第１の情報通信機及び第２の情報通信機夫々は、受信した情報を表示することを特徴とする。
【００２７】
また、本発明に係る情報表示方法は、受信した情報を表示した前記第２の情報通信機は、情報を特定する特定記号を前記制御装置へ送信し、前記第１の情報通信機は、前記特定記号により特定される情報を要求する情報要求信号を前記制御装置へ送信し、該制御装置は、送信された特定記号及び情報要求信号を受信し、受信した特定記号を、情報を提供する情報提供装置へ送信し、前記特定記号を受信した前記情報提供装置が送信した前記特定記号により特定される情報を受信し、受信した情報を、前記第１の情報通信機及び第２の情報通信機へ送信し、前記第１の情報通信機及び第２の情報通信機夫々は、受信した情報を表示することを特徴とする。
【００２８】
また、本発明に係る情報表示方法は、前記第１及び第２の情報通信機は、音声通話中に、情報を特定する特定記号及び該特定記号により特定される情報を要求する情報要求信号を送信することを特徴とする。
【００２９】
また、本発明に係る情報表示方法は、前記制御装置は、前記特定記号により特定される情報と関連付けて、該情報を識別する識別記号を記憶することを特徴とする。
【００３０】
また、本発明に係る情報表示方法は、前記制御装置は、前記特定記号及び／又は該特定記号により特定される情報を識別する識別記号を記憶することを特徴とする。
【００３１】
また、本発明に係る情報表示方法は、前記制御装置は、前記特定記号を送信した第１（又は第２）の情報通信機が表示する情報と、前記情報要求信号を送信した第２（又は第１）の情報通信機が表示する情報とが一致するか否かを判定し、判定結果に基づいて、前記第１（又は第２）の情報通信機に表示する情報を前記第２（又は第１）の情報通信機へ送信することを特徴とする。
【００３２】
また、本発明に係る情報表示方法は、前記制御装置は、前記判定結果に基づいて、前記情報要求信号の再送信を要求する再送信要求信号を前記第２（又は第１）の情報通信機へ送信することを特徴とする。
【００３３】
また、本発明に係る情報表示方法は、前記制御装置は、前記第２（又は第１）の情報通信機が、前記第１（又は第２）の情報通信機から送信される特定記号により特定される情報の受信を許容するか否かを判定し、許容する場合は、前記情報を、前記第２（又は第１）の情報通信機へ送信することを特徴とする。
【００３４】
また、本発明に係る情報表示方法は、前記制御装置は、情報を特定記号に対応付けて記憶し、前記特定記号により特定される情報を、前記特定記号を送信した第１の情報通信機、及び前記特定記号により特定される情報を要求する情報要求信号を送信した第２の情報通信機へ送信することを特徴とする。
【００３５】
本発明に係る情報表示システムは、情報を表示する情報表示手段を備えた第１の情報通信機に表示した情報を、情報を表示する情報表示手段を備えた第２の情報通信機に表示させる情報表示システムであって、前記第１の情報通信機は、情報を特定する特定記号及び前記第２の情報通信機を指定する指定情報を、前記特定記号の送受信を制御する制御装置へ送信する送信手段を備え、該制御装置は、送信された特定記号及び指定情報を受信する受信手段と、受信した特定記号を、情報を提供する情報提供装置及び受信した指定情報により指定された第２の情報通信機へ送信する送信手段とを備え、第２の情報通信機は、受信した特定記号を前記情報提供装置へ送信する送信手段を備え、該情報提供装置は、前記制御装置が送信した特定記号及び前記第２の情報通信機が送信した特定記号を受信する受信手段と、前記制御装置から受信した特定記号により特定される情報を前記第１の情報通信機へ送信し、前記第２の情報通信機から受信した特定記号により特定される情報を前記第２の情報通信機へ送信する送信手段とを備えることを特徴とする。
【００３６】
また、本発明に係る情報表示システムは、前記第２の情報通信機の送信手段は、特定記号を前記制御装置へ送信し、前記制御装置の送信手段は、受信した特定記号を前記第１の情報通信機へ送信し、前記第１の情報通信機の送信手段は、受信した特定記号を前記情報提供装置へ送信し、前記情報提供装置の送信手段は、前記第１の情報通信機から受信した特定記号により特定される情報を前記第１の情報通信機へ送信すべくなしてあることを特徴とする。
【００３７】
また、本発明に係る情報表示システムは、前記第１及び第２の情報通信機は、音声通話が同時可能に構成してあることを特徴とする。
【００３８】
また、本発明に係る情報表示システムは、前記制御装置は、受信した特定記号及び指定情報を記憶する記憶手段を備え、前記制御装置の送信手段は、前記指定情報により指定された第２の情報通信機からの要求に応じて、前記特定記号を、前記第２の情報通信機へ送信すべくなしてあることを特徴とする。
【００３９】
また、本発明に係る情報表示システムは、前記制御装置は、前記第１（又は第２）の情報通信機が、前記第２（又は第１）の情報通信機から送信される特定記号の受信を許容するか否かを判定する判定手段を備え、許可する場合は、前記制御装置の送信手段は、前記特定記号を前記第１（又は第２）の情報通信機へ送信すべくなしてあることを特徴とする。
【００４０】
また、本発明に係る情報表示システムは、前記制御装置の記憶手段は、情報を特定記号に対応付けて記憶し、前記制御装置の送信手段は、前記特定記号により特定される情報を、前記特定記号を送信した第１の情報通信機、及び前記第１の情報通信機が送信した指定情報により指定された第２の情報通信機へ送信すべくなしてあることを特徴とする。
【００４１】
また、本発明に係る情報表示システムは、情報を表示する情報表示手段を備えた第１の情報通信機に表示した情報を、情報を表示する情報表示手段を備えた第２の情報通信機に表示させる情報表示システムであって、前記第１の情報通信機は、情報を特定する特定記号及び前記第２の情報通信機を指定する指定情報を、前記情報の送受信を制御する制御装置へ送信する送信手段を備え、前記第２の情報通信機は、前記特定記号により特定される情報を要求する情報要求信号及び前記第１の情報通信機を指定する指定情報を、前記制御装置へ送信する送信手段を備え、該制御装置は、送信された特定記号、指定情報、及び情報要求信号を受信する受信手段と、受信した特定記号を、情報を提供する情報提供装置へ送信する送信手段とを備え、前記受信手段は、さらに、前記特定記号を受信した前記情報提供装置が送信した前記特定記号により特定される情報を受信し、前記制御装置は、受信した指定情報に基づいて、第１の情報通信機及び第２の情報通信機が指定する情報通信機夫々が第２の情報通信機及び第１の情報通信機に一致するか否かを判定する判定手段を備え、前記制御装置の送信手段は、前記判定手段の判定結果に基づいて、受信した情報を、前記第１の情報通信機及び第２の情報通信機へ送信すべくなしてあることを特徴とする。
【００４２】
また、本発明に係る情報表示システムは、前記第２の情報通信機の送信手段は、情報を特定する特定記号を前記制御装置へ送信し、前記第１の情報通信機の送信手段は、前記特定記号により特定される情報を要求する情報要求信号を前記制御装置へ送信し、該制御装置の受信手段は、送信された特定記号及び情報要求信号を受信し、前記制御装置の送信手段は、受信した特定記号を、情報を提供する情報提供装置へ送信し、前記制御装置の受信手段は、さらに、前記特定記号を受信した前記情報提供装置が送信した前記特定記号により特定される情報を受信し、前記制御装置の送信手段は、さらに、受信した情報を、前記第１の情報通信機及び第２の情報通信機へ送信すべくなしてあることを特徴とする。
【００４３】
また、本発明に係る情報表示システムは、前記第１及び第２の情報通信機は、音声通話が同時可能に構成してあることを特徴とする。
【００４４】
また、本発明に係る情報表示システムは、前記制御装置は、前記特定記号により特定される情報と関連付けて、該情報を識別する識別記号を記憶する記憶手段を備えることを特徴とする。
【００４５】
また、本発明に係る情報表示システムは、前記制御装置は、前記特定記号及び／又は該特定記号により特定される情報を識別する識別記号を記憶する記憶手段を備えることを特徴とする。
【００４６】
また、本発明に係る情報表示システムは、前記制御装置は、前記特定記号を送信した第１（又は第２）の情報通信機が表示する情報と、前記情報要求信号を送信した第２（又は第１）の情報通信機が表示する情報とが一致するか否かを判定する判定手段を備え、該判定手段が判定した結果に基づいて、前記制御装置の送信手段は、前記第１（又は第２）の情報通信機に表示する情報を前記第２（又は第１）の情報通信機へ送信すべくなしてあることを特徴とする。
【００４７】
また、本発明に係る情報表示システムは、前記制御装置の送信手段は、前記判定手段が判定した結果に基づいて、前記情報要求信号の再送信を要求する再送信要求信号を前記第２（又は第１）の情報通信機へ送信すべくなしてあることを特徴とする。
【００４８】
また、本発明に係る情報表示システムは、前記制御装置の判定手段は、前記第２（又は第１）の情報通信機が、前記第１（又は第２）の情報通信機から送信される特定記号により特定される情報の受信を許容するか否かを判定し、許容する場合は、前記制御装置の送信手段は、前記情報を、前記第２（又は第１）の情報通信機へ送信すべくなしてあることを特徴とする。
【００４９】
また、本発明に係る情報表示システムは、前記制御装置の記憶手段は、情報を特定記号に対応付けて記憶し、前記制御装置の送信手段は、前記特定記号により特定される情報を、前記特定記号を送信した第１の情報通信機、及び前記特定記号により特定される情報を要求する情報要求信号を送信した第２の情報通信機へ送信すべくなしてあることを特徴とする。
【００５０】
本発明に係る制御装置は、第１の情報通信機に表示した情報を、第２の情報通信機に表示させるために、前記情報を特定する特定記号の送受信を制御する制御装置であって、前記第１の情報通信機が送信した特定記号及び前記第２の情報通信機を指定する指定情報を受信する受信手段と、受信した特定記号を、情報を提供する情報提供装置及び受信した指定情報により指定された第２の情報通信機へ送信する送信手段とを備えることを特徴とする。
【００５１】
また、本発明に係る制御装置は、受信した特定記号及び指定情報を記憶する記憶手段を備え、前記制御装置の送信手段は、前記指定情報により指定された第２の情報通信機からの要求に応じて、前記特定記号を、前記第２の情報通信機へ送信すべくなしてあることを特徴とする。
【００５２】
また、本発明に係る制御装置は、前記第１（又は第２）の情報通信機が、前記第２（又は第１）の情報通信機から送信される特定記号の受信を許容するか否かを判定する判定手段を備え、許容する場合は、前記制御装置の送信手段は、前記特定記号を前記第１（又は第２）の情報通信機へ送信すべくなしてあることを特徴とする。
【００５３】
また、本発明に係る制御装置は、該制御装置の記憶手段は、情報を特定記号に対応付けて記憶し、前記制御装置の送信手段は、前記特定記号により特定される情報を、前記特定記号を送信した第１の情報通信機、及び前記第１の情報通信機が送信した指定情報により指定された第２の情報通信機へ送信すべくなしてあることを特徴とする。
【００５４】
また、本発明に係る制御装置は、第１の情報通信機に表示した情報を、第２の情報通信機に表示させるために、前記情報の送受信を制御する制御装置であって、前記第１の情報通信機が送信した特定記号及び指定情報、並びに前記第２の情報通信機が送信した情報要求信号及び指定情報を受信する受信手段と、受信した特定記号を、情報を提供する情報提供装置へ送信する送信手段とを備え、前記受信手段は、さらに、前記特定記号を受信した前記情報提供装置が送信した前記特定記号により特定される情報を受信し、前記制御装置は、受信した指定情報に基づいて、第１の情報通信機及び第２の情報通信機が指定する情報通信機夫々が第２の情報通信機及び第１の情報通信機に一致するか否かを判定する判定手段を備え、前記制御装置の送信手段は、さらに、前記判定手段の判定結果に基づいて、受信した情報を、前記第１の情報通信機及び第２の情報通信機へ送信すべくなしてあることを特徴とする。
【００５５】
また、本発明に係る制御装置は、前記特定記号により特定される情報と関連付けて、該情報を識別する識別記号を記憶する記憶手段を備えることを特徴とする。
【００５６】
また、本発明に係る制御装置は、前記特定記号及び／又は該特定記号により特定される情報を識別する識別記号を記憶する記憶手段を備えることを特徴とする。
【００５７】
また、本発明に係る制御装置は、前記特定記号を送信した第１（又は第２）の情報通信機が表示する情報と、前記情報要求信号を送信した第２（又は第１）の情報通信機が表示する情報とが一致するか否かを判定する判定手段を備え、該判定手段が判定した結果に基づいて、前記制御装置の送信手段は、前記第１（又は第２）の情報通信機に表示する情報を前記第２（又は第１）の情報通信機へ送信すべくなしてあることを特徴とする。
【００５８】
また、本発明に係る制御装置は、前記送信手段は、前記判定手段が判定した結果に基づいて、前記情報要求信号の再送信を要求する再送信要求信号を前記第２（又は第１）の情報通信機へ送信すべくなしてあることを特徴とする。
【００５９】
また、本発明に係る制御装置は、前記判定手段は、前記第２（又は第１）の情報通信機が、前記第１（又は第２）の情報通信機から送信される特定記号により特定される情報の受信を許容するか否かを判定し、許容する場合は、前記制御装置の送信手段は、前記情報を、前記第２（又は第１）の情報通信機へ送信すべくなしてあることを特徴とする。
【００６０】
また、本発明に係る制御装置は、前記記憶手段は、情報を特定記号に対応付けて記憶し、前記制御装置の送信手段は、前記特定記号により特定される情報を、前記特定記号を送信した第１の情報通信機、及び前記特定記号により特定される情報を要求する情報要求信号を送信した第２の情報通信機へ送信すべくなしてあることを特徴とする。
【００６１】
第１の発明、第２の発明、第１６の発明、第１７の発明及び第３１の発明にあっては、第１の情報通信機は、表示する情報を特定する特定記号及び前記情報を表示させる第２の情報通信機を指定する指定情報を前記制御装置へ送信し、前記制御装置は、前記特定記号を受信し、受信した特定記号を前記情報提供装置へ送信するとともに、前記特定記号を、前記指定情報により指定された第２の情報通信機へ送信することにより、第１の情報通信機において情報を表示すると、該情報を特定する特定記号が、前記制御装置により受信され、前記制御装置は、前記特定記号を、前記指定情報により指定された第２の情報通信機へ送信する。前記特定記号を受信した第２の情報通信機は、前記特定記号により特定した情報を表示することができる。同様に、第２の情報通信機は、表示する情報を特定する特定記号及び前記情報を表示させる第１の情報通信機を指定する指定情報を前記制御装置へ送信し、前記制御装置は、前記特定記号を受信し、受信した特定記号を前記情報提供装置へ送信するとともに、前記特定記号を、前記指定情報により指定された第１の情報通信機へ送信することにより、第２の情報通信機において情報を表示すると、該情報を特定する特定記号が、前記制御装置により受信され、前記制御装置は、前記特定記号を、前記指定情報により指定された第１の情報通信機へ送信する。前記特定記号を受信した第１の情報通信機は、前記特定記号により特定した情報を表示することができる。
【００６２】
これにより、第１の情報通信機のユーザーは、自分の情報通信機に表示させたい情報を表示するだけで、送信操作を行うことなく、前記情報を、相手の情報通信機に表示させることができる。また、第１の情報通信機のユーザーは、表示する情報を変更した場合でも、前記制御装置は、前記情報を特定する特定記号を受信して、前記第２の情報通信機へ送信するため、前記第１の情報通信機のユーザーは、送信操作を行うことなく、同じ情報を前記第２の情報通信機に表示させることができる。同様に、前記第２の情報通信機のユーザーは、送信操作を行うことなく、同じ情報を前記第１の情報通信機に表示させることができる。
【００６３】
第３の発明及び第１８の発明にあっては、音声通話中においても、第１の情報通信機において情報を表示すると、前記情報通信機のユーザーが送信操作を行うことなく、該情報を特定する特定記号が、前記制御装置により受信され、前記制御装置は、前記特定記号を、前記指定情報により指定する第２の情報通信機へ送信する。前記特定記号を受信した第２の情報通信機は、前記特定記号により特定した情報を表示することができる。
【００６４】
第４の発明、第１９の発明、及び第３２の発明にあっては、前記制御装置は、受信した特定記号及び指定情報を記憶し、前記指定情報により指定された情報通信機からの要求に応じて、前記特定記号を、前記情報通信機へ送信することにより、前記指定した情報通信機へ前記特定記号を送信する前に、前記指定した情報通信機が、記憶された特定記号を受信するかどうかの判断を行うことができる。
【００６５】
第５の発明、第２０の発明、及び第３３の発明にあっては、前記制御装置は、前記第１又は第２の情報通信機が、前記第２又は第１の情報通信機からの前記特定記号の受信を許容するかを判定し、判定結果に基づいて、前記特定記号を、前記第１又は第２の情報通信機へ送信することにより、受信した特定記号を送信する前に、前記第１又は第２の情報通信機が、前記特定記号の受信を許容しているかどうかを判定することができる。
【００６６】
第６の発明、第２１の発明、及び第３４の発明にあっては、前記制御装置は、写真などの情報を特定記号に対応付けて記憶し、情報通信機から受信した特定記号を記憶している場合には、前記特定記号により特定される情報を、前記特定記号を送信した第１の情報通信機、及び前記第１の情報通信機が送信した指定情報により指定された第２の情報通信機へ送信することにより、音声通話中においても、情報通信機のユーザーは、自分の情報通信機に表示させたい写真などの情報を表示するだけで、送信操作を行うことなく、前記情報を、相手の情報通信機に表示させることができる。また、情報通信機のユーザーは、表示する情報を変更した場合でも、前記制御装置は、前記情報を特定する特定記号を受信して、相手側の情報通信機へ送信するため、前記情報通信機のユーザーは、送信操作を行うことなく、同じ情報を前記相手側の情報通信機に表示させることができる。また、写真などの情報を、情報通信機に記憶する必要がない。
【００６７】
第７の発明、第８の発明、第２２の発明、第２３の発明、及び第３５の発明にあっては、第１の情報通信機は、表示する情報を特定する特定記号及び第２の情報通信機を指定する指定情報を前記制御装置へ送信し、前記第２の情報通信機は、前記特定記号により特定される情報を要求する情報要求信号及び前記第１の情報通信機を指定する指定情報を前記制御装置へ送信し、該制御装置は、受信した特定記号を情報提供装置へ送信して、前記特定記号により特定される情報を前記情報提供装置から受信し、前記情報を前記第１の情報通信機へ送信する。受信した指定情報に基づいて、前記第１及び第２の情報通信機が相互に指定する情報通信機であるか否かを判定し、前記第１及び第２の情報通信機が相互に指定する情報通信機である場合は、受信した前記情報を前記第２の情報通信機へ送信する。前記情報を受信した前記第１及び第２の情報通信機は、前記情報を表示する。これにより、第１の情報通信機のユーザーは、自分の情報通信機に表示させたい情報を表示するだけで、送信操作を行うことなく、前記情報を、相手の情報通信機に表示させることができる。同様に、前記第２の情報通信機のユーザーは、送信操作を行うことなく、同じ情報を前記第１の情報通信機に表示させることができる。
【００６８】
第９の発明及び第２４の発明にあっては、音声通話中においても、第１の情報通信機において情報を表示すると、前記第１の情報通信機のユーザーが送信操作を行うことなく、前記情報が、前記制御装置により第２の情報通信機へ送信されるため、前記第１の情報通信機に表示された情報を前記第２の情報通信機に表示させることができる。
【００６９】
第１０の発明、第２５の発明及び第３６の発明にあっては、前記制御装置が、前記特定記号により特定される情報と関連付けて該情報を識別する識別記号を記憶することにより、第１及び第２の情報通信機に表示する情報を識別することができる。
【００７０】
第１１の発明、第２６の発明及び第３７の発明にあっては、前記制御装置が、前記特定記号及び／又は該特定記号により特定される情報を識別する識別記号を記憶することにより、第１及び第２の情報通信機に表示する情報を識別することができる。
【００７１】
第１２の発明、第２７の発明及び第３８の発明にあっては、前記制御装置が、特定信号を送信した第１（又は第２）の情報通信機が表示する情報と、情報要求信号を送信した第２（又は第１）の情報通信機が表示する情報とが一致するか否かを判定することにより、
第２の情報通信機から受信した情報要求信号に基づいて、第１の情報通信機に表示した情報が更新されたか否かを判定することができ、判定結果に基づいて、前記第１（又は第２）の情報通信機に表示した情報が更新された場合に、送信操作することなく、前記情報を前記第２（又は第１）の情報通信機に表示させることができる。
【００７２】
第１３の発明、第２８の発明及び第３９の発明にあっては、前記制御装置が、第１の情報通信機に表示された情報が更新されていない場合に、情報要求信号の再送信を要求する再送信要求信号を、前記第２の情報通信機へ送信することにより、前記第２の情報通信機を操作するユーザーに、再度情報の要求を促すことができる。
【００７３】
第１４の発明、第２９の発明及び第４０の発明にあっては、前記制御装置が、前記第１の情報通信機と、前記第２の情報通信機とのいずれか、又は両方が、特定記号で特定される情報の受信を許容するかどうかを判定することにより、前記情報を、相手側の情報通信機に表示する前に、相手方の都合を相互に確認することができる。
【００７４】
第１５の発明、第３０の発明及び第４１の発明にあっては、写真などの情報を特定記号に対応付けて記憶し、情報通信機から送信された特定記号を受信し、受信した特定記号が記憶されている場合には、前記特定記号により特定される情報を、第１及び第２の情報通信機へ送信することにより、制御装置に記憶された写真などの情報を、自分の情報通信機に表示させ、送信操作をすることなく、相手側の情報通信機にも表示させることができる。
【発明の効果】
【００７５】
本発明にあっては、送信操作を行うことなく、第１の情報通信機（例えば、携帯電話機）に表示した情報と同じ情報を、第２の情報通信機（例えば、携帯電話機）にも表示させることができ、また、第２の情報通信機に表示した情報と同じ情報を、第１の情報通信機にも表示させることができる。さらに、前記第１の情報通信機が表示する情報を変更した場合においても、その都度送信操作を行うことなく、変更した情報と同じ情報を、前記第２の情報通信機に表示させることができ、前記第２の情報通信機が表示する情報を変更した場合においても、その都度送信操作を行うことなく、変更した情報と同じ情報を、前記第１の情報通信機にも表示させることができる。
【００７６】
また、本発明にあっては、音声通話中においても、送信操作を行うことなく、第１の情報通信機に表示した情報と同じ情報を、第２の情報通信機にも表示させることができ、また、第２の情報通信機に表示した情報と同じ情報を、第１の情報通信機にも表示させることができる。
【００７７】
また、本発明にあっては、前記第１の情報通信機に表示した情報と同じ情報を、前記第２の情報通信機からの要求に応じて、該第２の情報通信機のユーザーにとって都合のよい時に表示させることができ、前記第２の情報通信機に表示した情報と同じ情報を、前記第１の情報通信機からの要求に応じて、該第１の情報通信機のユーザーにとって都合のよい時に表示させることができる。  
また、本発明にあっては、前記第１の情報通信機に表示した情報と同じ情報を、前記第２の情報通信機に表示する前に、前記第１の情報通信機と前記第２の情報通信機の一方又は双方が、同じ情報を表示することを許容しているかどうかを確認することができる。
【００７８】
また、本発明にあっては、音声通話中においても送信操作を行うことなく、自分の情報通信機に表示した写真などの情報を、相手側の情報通信機にも表示させることができ、また、自分の情報通信機が表示する情報を、例えばアルバムを見るように変更した場合においても、その都度送信操作を行うことなく、変更した情報と同じ情報を、相手側の情報通信機に表示させることができる。また、前記情報を情報通信機に記憶しなくても、情報通信機の表示画面上で共有することができる。さらに、前記個人情報の閲覧を許容するかどうかを判定することができ、前記個人情報に対する不要なアクセスを防止することができる。
【発明を実施するための最良の形態】
【００７９】
実施の形態１
図１は本発明に係る情報表示システムの概要を示す模式図である。図において１１、１２は携帯電話機であり、音声通話、電子メールの送受信及びインターネット上の情報の入手などを行うことができる。
携帯電話機１１、１２は、Ｗ−ＣＤＭＡ（Wideband Code Division Multiple Access：広帯域符号分割多元接続方式）である無線ネットワークを介して基地局装置２１、２２に接続されている。
【００８０】
基地局装置２１、２２は、携帯電話機１１、１２の位置情報を登録するための無線信号の送受信を行うとともに、携帯電話機１１、１２との間で電波の送受信を行い、無線信号を有線伝送路の信号に変換する。また、基地局装置２１、２２は、通信回線３に接続されている。
通信回線３上には、交換機３０、３１、ゲートウェイ交換機３３及び回線交換・パケット交換網３２が接続されている。
【００８１】
交換機３０、３１及びゲートウェイ交換機３３は、音声データを携帯電話機１１、１２又は固定電話機などに伝送する回線交換機能と、電子メールなどのパケットデータを携帯電話機１１、１２、又は後述するＷＷＷサーバーコンピュータ７などに伝送するパケット交換機能とを備えている。
回線交換・パケット交換網３２は、ＡＴＭ（Asynchronous Transfer Mode：非同期転送モード）を採用することにより、音声データとパケットデータとを統合的に伝送することができ、音声通話中にパケット通信を同時に行うことができるマルチアクセスが可能である。
【００８２】
ゲートウェイ交換機３３には、固定網／移動通信網８が接続され、固定網／移動通信網８には、他の携帯電話機又は固定電話機などが接続されている。
また、ゲートウェイ交換機３３には、ゲートウェイ装置４が接続されている。ゲートウェイ装置４は、方式の異なるネットワークを接続するための装置で、通信回線３における通信プロトコルと、インターネット接続に用いられているＴＣＰ/ＩＰ（Transmission Control Protocol/Internet Protocol）プロトコルとの変換を行うとともに、両プロトコルの間でデータの変換を行う。
【００８３】
ゲートウェイ装置４には、携帯電話機１１、１２の情報表示を制御するための制御装置５と、インターネット６を介して、情報提供のための情報（ウェブページ）を記憶しているコンピュータであるＷＷＷ（World Wide Web）サーバーコンピュータ７とが接続されている。
【００８４】
図２はＷＷＷサーバーコンピュータ７のハードウェア構成を示すブロック図である。図に示すように、サーバーコンピュータとしての機能を実行するＣＰＵ７０には、バス７８を介して、ＲＡＭ７１、ハードディスク等の記憶部７６、マウス・キーボードである入力部７３、液晶ディスプレイである表示部７４、インターネット６に接続するための通信部７５が接続されている。
【００８５】
記憶部７６は、ウェブページを記述する言語であるＣ−ＨＴＭＬ（Compact Hyper Text Markup Language）で記述され、ウェブページの内容を特定するＣ−ＨＴＭＬファイル７７、７７…及びウェブページを構成する画像データ７９、７９…が記憶されている。
ＲＡＭ７１には、ＷＷＷサーバーコンピュータ７として機能するための制御プログラム７２が常駐し、携帯電話機１１、１２からの情報（ウェブページ）の要求を監視する。制御プログラム７２は、携帯電話機１１、１２からの要求があった場合には、Ｃ−ＨＴＭＬファイル７７、７７…及び画像データ７９、７９…を読み出し、通信部７５を介して携帯電話機１１、１２へ送信するための処理を行う。
通信部７５は、携帯電話機１１、１２、後述する制御装置５が送信するＵＲＬを受信するとともに、前記ＵＲＬに対応する情報を携帯電話機１１、１２へ送信する。
なお、後述するように、制御装置５も同様の機能を有する。
【００８６】
図３は携帯電話機１１の構成を示すブロック図である。なお、携帯電話機１２も同様の構成を有する。図に示すように、携帯電話機１１は、無線によるデータ通信機能と、音声信号とデジタル信号との変換を行う符号化復号化機能を備えた送受信部１１５、液晶ディスプレイである表示部１１６、文字入力用のキーを備えた操作部１１７、マイク・スピーカーである音声入出力部１１８、これら各部を制御するＣＰＵ１１０、制御用のプログラムを記憶したＲＯＭ１１４、及び各種プログラムを読み込んで実行するためのＲＡＭ１１１を備えている。また、ＲＡＭ１１１は、操作部１１７から入力され、また、送受信部１１５を介して他の携帯電話機から受信したＵＲＬを一旦保持する。
【００８７】
ＲＡＭ１１１に、ウェブブラウザ１１２が読み込まれることにより、携帯電話機１１は、ウェブサーバーへアクセスするためのウェブブラウザとして機能する。ウェブブラウザ１１２は、ＷＷＷサーバーコンピュータ７又は制御装置５へアクセスする際に、ＷＷＷサーバーコンピュータ７又は制御装置５に存在する情報（ウェブページ）を特定するための特定記号であるＵＲＬを使ってアクセスをする。このＵＲＬは、ＨＴＴＰ（Hyper Text Transfer Protocol）プロトコルを示すスキーム名、サーバーコンピュータに接続するための情報を示すドメイン名及びサーバーコンピュータ内のファイルの位置を示すパス名から構成されている。
例えば、ウェブブラウザ１１２を起動した場合に、表示されるメニューを特定するＵＲＬを送信すると、携帯電話機１１には、前記メニューが表示され、メニュー上にリンクされたＵＲＬを選択することにより、ＷＷＷサーバーコンピュータ７又は制御装置５へ接続することが可能である。
【００８８】
また、送受信部１１５で電子メールを受信すると、ＲＡＭ１１１には、メーラー１１３（電子メール機能プログラム）が読み込まれる。メーラー１１３は、電子メールの受信、該電子メール本文の自動閲覧、前記電子メール本文に添付されたＵＲＬへのアクセス、ウェブブラウザ１１２の起動などを行うことが可能である。これにより、ＵＲＬが添付された電子メールを受信した携帯電話機は、前記ＵＲＬで特定される情報を、画面に表示することができる。
【００８９】
携帯電話機１１の画面でインターネット上の情報（ウェブページ）を見るためには、携帯電話機１１のユーザーは、ＵＲＬの指定又はリンク選択を行う。これによりウェブブラウザ１１２は、前記ＵＲＬで特定される情報を要求するＨＴＴＰ要求を、送受信部１１５を介してＷＷＷサーバーコンピュータ７又は制御装置５へ送信する。また、送受信部１１５は、前記ＵＲＬで特定される情報を表示させる相手側の携帯電話機の電子メールアドレスを送信する。ＨＴＴＰ要求を受信したＷＷＷサーバーコンピュータ７又は制御装置５は、要求されたＣ−ＨＴＭＬファイル及び画像データなどのファイルを携帯電話機１１へ送信する。ウェブブラウザ１１２は送受信部１１５を介して受信したＣ−ＨＴＭＬファイルを解析することにより指定されたとおりに画面表示処理を行い、ウェブページを画面に表示する。
なお、携帯電話機１１においてＵＲＬの指定又はリンク選択が行われた場合に、前記ＵＲＬには、前記ＨＴＴＰ要求が一旦制御装置５へ送られるように、制御装置５を特定するＵＲＬが添付される。
【００９０】
一方、携帯電話機１１、１２での音声通話は、次のように行われる。
携帯電話機１１、１２夫々は、基地局装置２１、２２夫々から発信されているエリア信号を受信して、位置登録を行うためのユーザーＩＤを基地局装置２１、２２夫々に発信することにより、携帯電話機１１、１２夫々は、予めどの基地局装置のエリアに存在するかを示す位置登録がされている。
携帯電話機１１から相手側の携帯電話機１２に発信（音声通話の開始）をすると、交換機３０を介して相手側の携帯電話機１２の位置登録がされている基地局装置２２に接続されている交換機３１を呼び出すことにより、音声通話が行われる。
【００９１】
図４はマルチアクセスの接続手順の概要を示す説明図である。図において、携帯電話機１１は、交換機３０及びゲートウェイ交換機３３を介して携帯電話機１２と音声通話中である。
携帯電話機１１は、交換機３０に対してパケット通信を開始するための発信接続要求を送信する（Ｓ４０１）。
前記発信接続要求を受信した交換機３０は、ゲートウェイ交換機３３を特定するためのアドレス解析を行い（Ｓ４０２）、特定したゲートウェイ交換機３３に対して、呼設定要求を送信する（Ｓ４０３）。
【００９２】
前記呼設定要求を受信したゲートウェイ交換機３３は、ＷＷＷサーバーコンピュータ７又は制御装置５を特定するための接続ポイント名の分析を行い（Ｓ４０４）、図示しないゲートウェイ装置を介して、特定したＷＷＷサーバーコンピュータ７又は制御装置５に対して、接続通知を送信する（Ｓ４０５）。
前記接続通知を受信したＷＷＷサーバーコンピュータ７又は制御装置５は、接続通知応答をゲートウェイ交換機３３へ送信し（Ｓ４０６）、該接続通知応答を受信したゲートウェイ交換機３３は、呼設定応答を交換機３０へ送信する（Ｓ４０７）。
【００９３】
これにより、携帯電話機１１と交換機３０との間で、無線アクセス回線が設定され（Ｓ４０８）、また、交換機３０とゲートウェイ交換機３３との間で、パケット用ＡＴＭ−ＳＶＣ（Switched Virtual Channel）が設定される（Ｓ４０９）。
交換機３０は、携帯電話機１１に対して、発信接続応答を送信し（Ｓ４１０）、これにより、パケット通信が開始され（Ｓ４１１）、音声通話とパケット通信が同時に行われる。
【００９４】
図５は制御装置５のハードウェア構成を示すブロック図である。図に示すように、制御装置５はインターネット６に接続され、各種制御プログラムを実行するＣＰＵ５０には、バス５６を介してＲＡＭ５１、ハードディスクなどの記憶部５２、携帯電話機１１、１２、ＷＷＷサーバーコンピュータ７と情報を送受信するための通信部５３、液晶ディスプレイである表示部５４、及びキーボード・マウスである入力部５５が接続される。
【００９５】
ＲＡＭ５１には、携帯電話機１１、１２からの要求に応じて各種処理を行う制御プログラム５１０が常駐している。
記憶部５２には、登録された加入者の情報を示す加入者情報ＤＢ５２０、加入者が所有する写真などの個人情報を示す個人情報ＤＢ５２１、携帯電話機同士で表示画面の共有を許容するか否かを示す許容者情報ＤＢ５２２、携帯電話機から要求されたＵＲＬの履歴を示すリンク情報ＤＢ５２３、各種情報をウェブブラウザ上で表示させるためのＣ−ＨＴＭＬファイル５２４、及び画像ファイル５２５が記憶されている。
【００９６】
次にＲＡＭ５１に常駐している制御プログラム５１０について説明する。
図６は制御プログラム５１０の構成を示す説明図である。制御プログラム５１０は、ＨＴＴＰ制御部５１１、メニュー制御部５１２、電子メール制御部５１３、及びリンク制御部５１４を備える。
ＣＰＵ５０は、ＨＴＴＰ制御部５１１を実行することにより、携帯電話機１１、１２からの情報の要求を監視する。ＨＴＴＰ制御部５１１は、携帯電話機１１、１２からの要求があった場合には、Ｃ−ＨＴＭＬファイル５２４、及び画像ファイル５２５を読み出し、通信部５３を介して携帯電話機１１、１２へ送信するための処理を行う。
【００９７】
メニュー制御部５１２は、携帯電話機１１、１２の画面に表示される各種サービスメニューの管理、ユーザーごとの個人情報を提供する場合におけるマイメニューの管理などの処理を行う。
電子メール制御部５１３は、ウェブページ又は写真などの個人情報を特定する特定記号であるＵＲＬを、電子メールに添付して、電子メールアドレスである指定情報により指定した携帯電話機１１、１２へ送信する処理を行う。
【００９８】
リンク制御部５１４は、携帯電話機１１、１２から制御装置５へ送信されたＵＲＬ及び電子メールアドレスである指定情報を受信する受信部５１５と、受信したＵＲＬを情報提供元であるＷＷＷサーバーコンピュータ７へ送信する送信部５１６と、各種ＤＢの作成・更新、及び個人情報を記憶する記憶部５１７と、携帯電話機１１、１２がＵＲＬの受信を許容するか否かを判定する判定部５１８とを備える。
【００９９】
また、受信部５１５は、携帯電話機１１、１２からＵＲＬで特定される情報を要求するＨＴＴＰ要求が送信されるたびに、前記ＨＴＴＰ要求から前記ＵＲＬを受信し、該ＵＲＬをリンク情報ＤＢ５２３に記憶する。また、リンク制御部５１４は、受信した前記ＵＲＬを判定して、前記ＨＴＴＰ要求がＷＷＷサーバーコンピュータ７への要求であれば、該ＨＴＴＰ要求を送信部５１６に渡し、送信部５１６は前記ＵＲＬを前記ＷＷＷサーバーコンピュータ７へ送信する。一方、前記ＨＴＴＰ要求が、制御装置５に登録された個人情報に対するものである場合には、前記ＨＴＴＰ要求をＨＴＴＰ制御部５１１へ渡し、受信したＵＲＬにより特定される個人情報ＤＢ５２１に存在する個人情報を、携帯電話機１１、１２へ送信する。
【０１００】
受信部５１５は、携帯電話機１１、１２から送信された指定情報である電子メールアドレスを受信し、リンク制御部５１４は、電子メール制御部５１３を呼び出すことにより、電子メール制御部５１３は、前記ＵＲＬを電子メールに添付して、受信した電子メールアドレスで指定する携帯電話機１１、１２へ送信する。
【０１０１】
記憶部５１７は、加入者の管理のために加入者情報ＤＢ５２０、の作成・更新を行う。
また、記憶部５１７は、携帯電話機１１、１２のユーザーから写真などの個人情報を登
録する要求があった際には、前記個人情報をＵＲＬに関連付けて、個人情報ＤＢ５２１を
作成・更新する。また、ＵＲＬに関連付けられた個人情報をＣ−ＨＴＭＬファイル５２４
及び画像ファイル５２５として記憶する。
また、記憶部５１７は、携帯電話機１１、１２の間で表示画面の共有を許容するか否か
を示すリンク許容者情報、及び写真などの個人情報の閲覧を許容するか否かを示す個人情
報許容者情報を示す許容者情報ＤＢ５２２の作成・更新を行う。
【０１０２】
判定部５１８は、携帯電話機１１、１２から制御装置５へアクセスした場合に、携帯電話機１１、１２から送信される端末ＩＤの認証を行い、携帯電話機１１、１２が加入者であるか否かを判断する。
また、判定部５１８は、例えば、一方の携帯電話機１１のユーザーから電子メールアドレスなどの指定情報で指定する他方の携帯電話機１２のユーザーに対して、ＵＲＬで特定する情報を画面上で共有する要求が発生した場合には、許容者情報ＤＢ５２２に基づいて、許容するか否かの判断を行う。
また、判定部５１８は、携帯電話機１１、１２のユーザーから個人情報への閲覧要求があった場合に、許容者情報ＤＢ５２２に基づいて、前記個人情報の閲覧を許容するか否かを判断する。
【０１０３】
携帯電話機１１、１２から個人情報への閲覧要求があった場合には、ＨＴＴＰ制御部５１１は、前記個人情報に関連付けられたＵＲＬをリンク制御部５１４から受信し、該ＵＲＬで特定したＣ−ＨＴＭＬファイル５２４及び画像ファイル５２５を、閲覧要求があった携帯電話機１１、１２へ送信する。
【０１０４】
次に記憶部５２に記憶されている各種ＤＢのレコードレイアウトについて説明する。
図７は加入者情報ＤＢ５２０のレコードレイアウトを示す説明図である。図に示すように、加入者情報ＤＢ５２０は、加入者ＩＤ（端末ＩＤ）ごとに加入者の氏名、加入者の電話番号、及び加入者の電子メールアドレスなどから構成されている。加入者情報ＤＢは、新規加入者があるごとに加入者ＩＤが作成され、該新規加入者の各情報が作成されるとともに、加入者情報の変更があるたびに更新される。電子メールアドレスなどの情報は、ユーザーの携帯電話機１１、１２から更新が可能である。
【０１０５】
図８は許容者情報ＤＢ５２２のレコードレイアウトを示す説明図である。図に示すように、加入者情報に対応付けて、リンク許容者情報及び個人情報許容者情報が記録されている。加入者情報には、加入者ＩＤ及び加入者電子メールアドレスが記録され、リンク許容者情報には、許容者ＩＤ、許容者電子メールアドレス、及び許容者の要求を待ってＵＲＬを送信するか否かを示す要求フラグが記録されている。個人情報許容者情報も同様である。加入者ＩＤに対応して許容者ＩＤが記載されている場合は、前記許容者ＩＤで特定される携帯電話機は、情報の閲覧、受信が許容されている。これらの許容者情報は、ユーザーの携帯電話機１１、１２から設定・更新が可能である。
【０１０６】
図９は個人情報ＤＢ５２１のレコードレイアウトを示す説明図である。図に示すように、個人情報ＤＢ５２１は、加入者ＩＤごとに、写真、電話帳などのデータファイルを特定する個人情報ＩＤ及び前記個人情報ＩＤに対応するＵＲＬから構成されている。該ＵＲＬは、個人情報ＩＤごとにまとめられた写真、電話帳などに対するリンクが張られたＣ−ＨＭＴＬファイルを特定している。これらの個人情報は、ユーザーの携帯電話機１１、１２から作成・更新が可能である。
【０１０７】
図１０はリンク情報ＤＢ５２３のレコードレイアウトを示す説明図である。図に示すように、リンク情報ＤＢ５２３は、加入者情報に対応して、特定記号であるＵＲＬ、加入者が参照したＵＲＬの履歴、及び指定先への電子メール送信履歴から構成され、前記加入者情報には、加入者ＩＤ及び加入者電子メールアドレスが記録され、前記指定情報には、指定先加入者ＩＤ及び指定情報である電子メールアドレスが記録され、前記加入者参照ＵＲＬ履歴には、ＵＲＬ及び参照時間が記録されている。制御装置５は、特定記号及び指定情報を受信し、また、特定記号を送信するたびに、これらのリンク情報を作成・更新する。
【０１０８】
以上の構成において、本発明に係る情報表示システムの処理手順について説明する。図１１、図１２、図１３、図１４、図１５、図１６、図１７、図１８及び図１９は情報表示システムの処理手順を示すフローチャートである。以下の手順においては、発信側の携帯電話機と着信側の携帯電話機との間においては、通信回線３を介して音声通話が行われており、発信側又は受信側のいずれか一方は、接続元である携帯電話機１１（以下、マスターという）であり、他方は、接続先である携帯電話機１２（以下、スレーブという）である。
【０１０９】
マスター１１のユーザーがウェブブラウザ１１２を起動するための操作キーを押すと、マスター１１は、ウェブブラウザ１１２を起動し（Ｓ１）、初期メニューを表示するためのＣ−ＨＴＭＬファイルを制御装置５へ要求する（Ｓ２）。初期メニューの要求を受けた制御装置５は、前記初期メニューを表示するためのＣ−ＨＴＭＬファイルを、マスター１１へ送信する（Ｓ３）。マスター１１は、前記Ｃ−ＨＴＭＬファイルを受信し（Ｓ４）、初期メニューを表示する。マスター１１のユーザーが、表示されたメニュー上で「接続」を選択することにより、マスター１１は、予めマスター１１に記憶されている加入者ＩＤを制御装置５へ送信して、制御装置５への接続を行う（Ｓ５）。
【０１１０】
制御装置５は、受信した加入者ＩＤに基づいて、加入者情報ＤＢ５２０を検索し、マスター１１が加入者であるか否かを調べ（Ｓ６）、マスター１１が加入者でないと判断した場合は（Ｓ６でＮＯ）、制御装置５は、サービスを終了する旨のメッセージを表示させるためのＣ−ＨＴＭＬファイルをマスター１１へ送信し（Ｓ７）、マスター１１は、前記Ｃ−ＨＴＭＬファイルを受信して、サービス終了の画面を表示する（Ｓ８）。マスター１１のユーザーが、画面上の「終了確認」を選択することにより、処理が終了する。
【０１１１】
マスター１１が加入者である場合は（Ｓ６でＹＥＳ）、メニュー制御部５１２は、個人情報を登録するための「個人情報登録」か、又は画面表示を共有するための「リンクサービス」かのいずれかを選択するためのメニューをＣ−ＨＴＭＬファイルとしてマスター１１へ送信し（Ｓ９）、マスター１１は、前記Ｃ−ＨＴＭＬファイルを受信して、画面上にメニューを表示する（Ｓ１０）。
【０１１２】
マスター１１のユーザーが「リンクサービス」を選択した場合は、スレーブ１２を指定するための電子メールアドレスを入力する画面が表示され、マスター１１のユーザーが、電子メールアドレスを入力して、送信操作をすると、マスター１１は、指定された電子メールアドレスを制御装置へ送信する（Ｓ１１）。制御装置５は、マスター１１から送信された電子メールアドレスを受信し（Ｓ１２）、受信したスレーブ１２の電子メールアドレスに基づいて、加入者情報ＤＢ５２０を検索し、スレーブ１２が加入者であるか否かを判定し（Ｓ１３）、スレーブ１２が加入者でない場合は（Ｓ１３でＮＯ）、ステップＳ７に戻り、サービスを終了する旨のメッセージを表示させるためのＣ−ＨＴＭＬファイルをマスター１１へ送信し（Ｓ７）、マスター１１は、前記Ｃ−ＨＴＭＬファイルを受信して、サービス終了の画面を表示する（Ｓ８）。マスター１１のユーザーが、画面上の「終了確認」を選択することにより、処理が終了する。
【０１１３】
スレーブ１２が加入者である場合は（Ｓ１３でＹＥＳ）、メニュー制御部５１２は、制御装置５に記憶された個人情報を共有するための「個人情報アクセス」か、又は情報提供装置であるＷＷＷサーバーコンピュータ７に記憶された情報を共有するための「ウェブページアクセス」かのいずれであるか選択するためのサービスメニューをＣ−ＨＴＭＬファイルとして送信し（Ｓ１４）、マスター１１は、前記Ｃ−ＨＴＭＬファイルを受信して、画面上にサービスメニューを表示する（Ｓ１５）。
【０１１４】
マスター１１のユーザーが、「個人情報アクセス」を選択した場合は、制御装置５は、マスター１１の所有する個人情報の閲覧をスレーブ１２に許容しているか否かを判定するために、許容者情報ＤＢ５２２を検索し（Ｓ１６）、スレーブ１２に個人情報の閲覧を許容していないと判定した場合は（Ｓ１６でＮＯ）、ステップＳ７に戻り、サービスを終了する旨のメッセージを表示させるためのＣ−ＨＴＭＬファイルをマスター１１へ送信し（Ｓ７）、マスター１１は、前記Ｃ−ＨＴＭＬファイルを受信して、サービス終了の画面を表示する（Ｓ８）。マスター１１のユーザーが、画面上の「終了確認」を選択することにより、処理が終了する。
【０１１５】
スレーブ１２に個人情報の閲覧を許容していると判定した場合（Ｓ１６でＹＥＳ）、及び表示された前記サービスメニューで、マスター１１のユーザーが「ウェブページアクセス」を選択した場合には、制御装置５は、スレーブ１２がマスター１１からのリンク（スレーブ１２がマスター１１に表示されている画面と同じ内容を表示すること）を許容しているか否かを判定するために、許容者情報ＤＢ５２２を検索し（Ｓ１７）、スレーブ１２がマスター１１からのリンクを許容していないと判定した場合は（Ｓ１７でＮＯ）、ステップＳ７に戻り、サービスを終了する旨のメッセージを表示させるためのＣ−ＨＴＭＬファイルをマスター１１へ送信し（Ｓ７）、マスター１１は、前記Ｃ−ＨＴＭＬファイルを受信して、サービス終了の画面を表示する（Ｓ８）。マスター１１のユーザーが、画面上の「終了確認」を選択することにより、処理が終了する。
【０１１６】
制御装置５は、スレーブ１２がマスター１１からのリンクを許容していると判定した場合は（Ｓ１７でＹＥＳ）、マスター１１がスレーブ１２からのリンク（マスター１１がスレーブ１２に表示されている画面と同じ内容を表示すること）を許容しているか否かを判定するため許容者情報ＤＢ５２２を検索する（Ｓ１８）。マスター１１がスレーブ１２からのリンクを許容していないと判定した場合は（Ｓ１８でＮＯ）、マスター１１からスレーブ１２への一方向型のリンクサービスを行う（Ｓ１９）。マスター１１がスレーブ１２からのリンクを許容している場合は（Ｓ１８でＹＥＳ）、マスター１１とスレーブ１２との間で双方向型のリンクサービスを行う（Ｓ２０）。
【０１１７】
マスター１１からスレーブ１２への一方向型のリンクサービスを行う場合には、マスター１１のユーザーが、画面上に表示される「ＵＲＬの入力・選択画面」メニューを選択して、スレーブ１２の画面にも表示させたい情報を特定するリンク先のＵＲＬを入力又は選択することにより、マスター１１は、リンクアクセスが「個人情報アクセス」か「ウェブページアクセス」を示すフラグを前記ＵＲＬに添付し、前記ＵＲＬ及びステップＳ１１で指定したスレーブ１２の電子メールアドレスを制御装置５へ送信する（Ｓ２１）。制御装置５のリンク制御部５１４は、マスター１１から送信されたＨＴＴＰ要求からリンク先のＵＲＬ及びスレーブ１２の電子メールアドレスを受信し（Ｓ２２）、前記ＵＲＬ及び電子メールアドレスを記憶する（Ｓ２３）。
【０１１８】
制御装置５は、マスター１１のユーザーがメニューで選択した際に添付されたフラグにより、リンクアクセスが「個人情報アクセス」か「ウェブページアクセス」かの判断を行い（Ｓ２４）、「個人情報アクセス」である場合は、前記ＵＲＬで特定する個人情報を記憶部５２から読み出し、該個人情報をマスター１１へ送信する（Ｓ２５）。
制御装置５は、リンクアクセスが「ウェブページアクセス」であると判定した場合は、前記ＵＲＬをリンク先であるＷＷＷサーバーコンピュータ７へ送信する（Ｓ２６）。前記ＵＲＬを受信したＷＷＷサーバーコンピュータ７は、前記ＵＲＬで特定される情報をＣ−ＨＴＭＬファイルとしてマスター１１へ送信し、マスター１１は受信した前記Ｃ−ＨＴＭＬファイルを処理することにより前記ＵＲＬで特定されたリンク先の情報を画面上に表示する（Ｓ２７）。
【０１１９】
制御装置５は、許容者情報ＤＢ５２２の要求フラグを検索することにより、スレーブ１２の要求に応じて前記ＵＲＬをスレーブ１２へ送信するか否か判定し（Ｓ２８）、スレーブ１２からの要求に応じて前記ＵＲＬをスレーブ１２へ送信する場合は（Ｓ２８でＹＥＳ）、スレーブ１２に対して、「リンク要求」を表示するためのＣ−ＨＴＭＬファイルを送信して、スレーブ１２からの要求の有無を判定する（Ｓ２９）。スレーブ１２のユーザーが、「リンク要求」を選択すると、スレーブ１２は、リンク要求を制御装置５へ送信し、前記リンク要求を受信した制御装置５は、リンク要求があると判定し（Ｓ２９でＹＥＳ）、リンク制御部５１４は前記ＵＲＬ及び電子メールアドレスを電子メール制御部５１３に渡す。
【０１２０】
電子メール制御部５１３は受信した前記ＵＲＬを電子メールに添付して、前記電子メールアドレスで指定するスレーブ１２へ送信する（Ｓ３０）。
スレーブ１２のユーザーが、「リンク要求」を選択しない場合は、スレーブ１２は、リンク非要求を制御装置５へ送信し、前記リンク非要求を受信した制御装置５は、リンク要求がないと判定し（Ｓ２９でＮＯ）、ステップＳ２２以降のステップを実施する。
一方、スレーブ１２からの要求を判定しない場合は（Ｓ２８でＮＯ）、ステップＳ３０以降の処理を続ける。
【０１２１】
スレーブ１２は、リンク先のＵＲＬが添付された電子メールを、制御装置５から受信する（Ｓ３１）。前記電子メールが受信されると、送受信部１１５は、電子メールの受信をＣＰＵ１１０へ知らせ、ＣＰＵ１１０は、メーラー１１３をＲＡＭ１１１に読み込む。読み込まれたメーラー１１３は、電子メール本文を閲覧し、電子メールに添付されたリンク先ＵＲＬへリンクするために、ウェブブラウザ１１２を起動する（Ｓ３２）。これにより、スレーブ１２は、前記電子メールに添付されたリンク先ＵＲＬへアクセスし（Ｓ３３）、画面上に前記ＵＲＬにより特定される情報を表示する（Ｓ３４）。
【０１２２】
制御装置５は、マスター１１から送信されたＨＴＴＰ要求からリンク先ＵＲＬを受信し、受信したリンク先ＵＲＬが、すでに受信したリンク先ＵＲＬと一致するか否かを判定して、受信したＵＲＬの変更の有無を確認する（Ｓ３５）。前記リンク先ＵＲＬに変更があった場合は（Ｓ３５でＹＥＳ）、ステップＳ２２に戻り、ステップＳ２２以降の処理を続ける。
制御装置５は、前記リンク先ＵＲＬに変更がない場合は（Ｓ３５でＮＯ）、リンクサービスを終了する旨のメッセージを表示させるためのＣ−ＨＴＭＬファイルをマスター１１へ送信することにより、マスター１１からリンクサービス終了の要求があるか否かを判断する（Ｓ３６）。また、制御装置５は、マスター１１のユーザーがサービス終了の操作をすることによりマスター１１から送信されるサービス終了信号の有無によりサービス終了の要求があるか否かを判断する（Ｓ３６）。
【０１２３】
マスター１１は、前記Ｃ−ＨＴＭＬファイルを受信して、サービス終了の画面を表示し、マスター１１のユーザーが、リンクサービス終了を選択しない場合、又はマスター１１のユーザーがサービス終了信号の送信のためのサービス終了の操作を行わない場合は、制御装置５は、リンクサービス終了の要求がないと判定し（Ｓ３６でＮＯ）、ステップＳ３５に戻り、ステップＳ３５以降の処理を続ける。
マスター１１のユーザーが、画面上の「リンクサービス終了確認」を選択、又はマスター１１のユーザーがサービス終了信号を送信するためのサービス終了の操作をすると、制御装置５は、リンクサービス終了の要求があったと判定し（Ｓ３６でＹＥＳ）、リンクサービス終了のメッセージをマスター１１及びスレーブ１２の画面上に表示して、リンクサービスを終了する。
【０１２４】
マスター１１とスレーブ１２との間で双方向型のリンクサービスを行う場合には、制御装置５は、マスター１１から送信される特定記号だけでなく、スレーブ１２から送信される特定記号についても受信する。
マスター１１のユーザーが、スレーブ１２の画面にも表示させたい情報を特定するリンク先のＵＲＬを入力又は選択することにより、マスター１１は、前記ＵＲＬ及びステップＳ１１で指定したスレーブ１２の電子メールアドレスを制御装置５へ送信する（Ｓ３７）。ステップＳ３７以降ステップＳ５０までの手順は、マスター１１からスレーブ１２への一方向型のリンクサービスにおける、ステップＳ２１以降ステップＳ３４までのステップと同様であるので、説明は省略する。スレーブ１２は受信したＵＲＬで特定する情報を表示し（Ｓ５０）、後述するステップＳ６５以降の処理を続ける。
【０１２５】
スレーブ１２に表示する情報をマスター１１に表示させる場合には、スレーブ１２のユーザーが、画面上に表示される「ＵＲＬの入力・選択画面」メニューを選択して、マスター１１の画面にも表示させたい情報を特定するリンク先のＵＲＬを入力又は選択することにより、スレーブ１２は、リンク先のＵＲＬ及びマスター１１の電子メールアドレスを制御装置５へ送信する（Ｓ５１）。制御装置５のリンク制御部５１４は、スレーブ１２から送信されたＨＴＴＰ要求からリンク先のＵＲＬ及びマスター１１の電子メールアドレスを受信し（Ｓ５２）、前記ＵＲＬ及び電子メールアドレスを記憶する（Ｓ５３）。
【０１２６】
制御装置５は、スレーブ１２のユーザーがメニューで選択した際に添付されたフラグにより、リンクアクセスが「個人情報アクセス」か「ウェブページアクセス」かの判断を行い（Ｓ５４）、「個人情報アクセス」である場合は、前記ＵＲＬで特定する個人情報を記憶部５２から読み出し、該個人情報をスレーブ１２へ送信する（Ｓ５５）。
【０１２７】
制御装置５は、リンクアクセスが「ウェブページアクセス」であると判定した場合は、前記ＵＲＬをリンク先であるＷＷＷサーバーコンピュータ７へ送信する（Ｓ５６）。前記ＵＲＬを受信したＷＷＷサーバーコンピュータ７は、前記ＵＲＬで特定される情報をＣ−ＨＴＭＬファイルとしてスレーブ１２へ送信し、スレーブ１２は受信した前記Ｃ−ＨＴＭＬファイルを処理することにより前記ＵＲＬで特定されたリンク先の情報を画面上に表示する（Ｓ５７）。
【０１２８】
制御装置５は、許容者情報ＤＢ５２２の要求フラグを検索することにより、マスター１１からの要求に応じて前記ＵＲＬをマスター１１へ送信する場合は（Ｓ５８でＹＥＳ）、マスター１１に対して、「リンク要求」を表示するためのＣ−ＨＴＭＬファイルを送信して、マスター１１からの要求の有無を判定する（Ｓ５９）。マスター１１のユーザーが、「リンク要求」を選択すると、マスター１１は、リンク要求を制御装置５へ送信し、前記リンク要求を受信した制御装置５は、リンク要求があると判定し（Ｓ５９でＹＥＳ）、リンク制御部５１４は前記ＵＲＬ及び電子メールアドレスを電子メール制御部５１３に渡す。
【０１２９】
電子メール制御部５１３は受信した前記ＵＲＬを電子メールに添付して、前記電子メールアドレスで指定するマスター１１へ送信する（Ｓ６０）。
マスター１１のユーザーが、「リンク要求」を選択しない場合は、マスター１１は、リンク非要求を制御装置５へ送信し、前記リンク非要求を受信した制御装置５は、リンク要求がないと判定し（Ｓ５９でＮＯ）、ステップＳ５２以降のステップを実施する。一方、マスター１１からの要求を判定しない場合は（Ｓ５８でＮＯ）、ステップＳ６０以降の処理を続ける。
【０１３０】
マスター１１は、リンク先のＵＲＬが添付された電子メールを、制御装置５から受信する（Ｓ６１）。前記電子メールが受信されると、送受信部１１５は、電子メールの受信をＣＰＵ１１０へ知らせ、ＣＰＵ１１０は、メーラー１１３をＲＡＭ１１１に読み込む。読み込まれたメーラー１１３は、電子メール本文を閲覧し、電子メールに添付されたリンク先ＵＲＬへリンクするために、ウェブブラウザ１１２を起動する（Ｓ６２）。これにより、マスター１１は、前記電子メールに添付されたリンク先ＵＲＬへアクセスし（Ｓ６３）、画面上に前記ＵＲＬにより特定される情報を表示する（Ｓ６４）。
【０１３１】
制御装置５は、マスター１１又はスレーブ１２から送信されたＨＴＴＰ要求からリンク先ＵＲＬを受信し、受信したリンク先ＵＲＬに変更がないか否かを確認する（Ｓ６５）。マスター１１から送信されたリンク先ＵＲＬに変更がある場合は（Ｓ６５）、ステップＳ３８へ戻り、ステップＳ３８以降の処理を続ける。スレーブ１２から送信されたリンク先ＵＲＬに変更がある場合は（Ｓ６５）、ステップＳ５２へ戻り、ステップＳ５２以降の処理を続ける。
【０１３２】
制御装置５は、前記リンク先ＵＲＬに変更がないと判定した場合は（Ｓ６５でＮＯ）、リンクサービスを終了する旨のメッセージを表示させるためのＣ−ＨＴＭＬファイルをマスター１１又はスレーブ１２へ送信することにより、マスター１１又はスレーブ１２からリンクサービス終了の要求があるか否かを判断する（Ｓ６６）。また、制御装置５は、マスター１１又はスレーブ１２のユーザーがサービス終了の操作をすることによりマスター１１又はスレーブ１２から送信されるサービス終了信号の有無によりサービス終了の要求があるか否かを判断する（Ｓ６６）。
【０１３３】
マスター１１又はスレーブ１２は、前記Ｃ−ＨＴＭＬファイルを受信して、サービス終了の画面を表示し、マスター１１又はスレーブ１２のユーザーが、リンクサービス終了を選択しない場合、又はマスター１１もしくはスレーブ１２のユーザーがサービス終了信号の送信のためのサービス終了の操作を行わない場合は、制御装置５は、リンクサービス終了の要求がないと判定し（Ｓ６６でＮＯ）、ステップＳ６５に戻り、ステップＳ６５以降の処理を続ける。
マスター１１又はスレーブ１２のユーザーが、画面上の「リンクサービス終了確認」を選択、又はマスター１１もしくはスレーブ１２のユーザーがサービス終了信号を送信するためのサービス終了の操作をすると、制御装置５は、リンクサービス終了の要求があったと判定し（Ｓ６６でＹＥＳ）、リンクサービス終了のメッセージをマスター１１及びスレーブ１２の画面上に表示して、リンクサービスを終了する。
【０１３４】
ステップ１０において、マスター１１は選択メニュー表示をする。マスター１１のユーザーが「個人情報登録」を選択して、登録したい写真、電話番号などの個人情報を画面上で選択すると、マスター１１は、前記個人情報を制御装置５へ送信する（Ｓ６７）。制御装置５は、前記個人情報を受信し（Ｓ６８）、リンク制御部５１４は、前記個人情報に対して、個人情報ＩＤ及びＵＲＬを関連付けて、個人情報ＤＢ５２１に記憶する（Ｓ６９）。
【０１３５】
マスター１１は、追加登録する個人情報の有無を判断し（Ｓ７０）、マスター１１のユーザーが追加登録を行わない場合は、制御装置５は登録する個人情報がないと判定し（Ｓ７０でＮＯ）、「個人情報登録サービスの終了」の旨のメッセージを表示するためのＣ−ＨＴＭＬファイルをマスター１１へ送信し、該Ｃ−ＨＴＭＬファイルを受信したマスター１１は、サービス終了を表示する。
マスター１１のユーザーが、他の個人情報を登録する場合は、制御装置５は、登録する個人情報があると判定し（Ｓ７０でＹＥＳ）、ステップＳ６７へ戻り、ステップＳ６７以降の処理を続ける。
【０１３６】
なお、同様に、スレーブ１２のユーザーにおいても、初期メニューから制御装置５への接続を行い、表示された画面から「個人情報登録」を選択することにより、個人情報の登録を行うことができる。
【０１３７】
次に、携帯電話機１１、１２夫々の間における使用例について説明する。図２０は携帯電話機１１、１２の表示画面と音声通話の例を示す説明図である。
まず、携帯電話機１１のユーザー（以下、マスターのユーザーという）は、携帯電話機１２のユーザー（以下、スレーブのユーザーという）に電話をかけ、用件を伝える（Ｓ１０１）。同時に前記リンクサービスを利用して、スレーブ１２のユーザーに見せたい情報、例えば、店舗の情報を携帯電話機１１の画面に表示させると（Ｓ１０２）、同じ店舗の情報が携帯電話機１２の画面に表示される（Ｓ１０３）。
【０１３８】
音声通話により、スレーブ１２のユーザーが、さらに詳しい情報、例えば、前記店舗の場所を尋ねると（Ｓ１０４）、マスター１１のユーザーは、携帯電話機１１に表示された画面上のリンクを選択し（Ｓ１０５）、前記店舗の地図を示す画面を表示させる（Ｓ１０６）。同時に同じ地図が携帯電話機１２の画面に表示される（Ｓ１０７）。マスター１１のユーザーは、スレーブ１２のユーザーに音声通話により前記店舗の場所の説明を加える（Ｓ１０８）。
【０１３９】
スレーブ１２のユーザーは、前記店舗よりも、さらに良さそうな店舗の情報をマスター１１に伝えたい場合は、ＵＲＬを入力して（Ｓ１０９）、別の店舗の情報を携帯電話機１２の画面に表示させる（Ｓ１１０）。同時に前記別の店舗の情報が、携帯電話機１１の画面に表示される（Ｓ１１１）。スレーブ１２のユーザーは、前記別の店舗の説明を音声通話で伝え（Ｓ１１２）、マスター１１のユーザーとスレーブ１２のユーザーとの間で店舗を容易に決定することができる（Ｓ１１３）。同様にして携帯電話機１１、１２の画面に表示される情報を共有しながら会話を続けることができる。
【０１４０】
上述のように、携帯電話機の間で音声通話を行っている場合に、一方の携帯電話機の画面に表示した情報を、送信操作を行うことなく、同じ内容を他方の携帯電話機の画面に表示させることが可能となる。また、一方の携帯電話機の画面に表示した情報を、随時変更した場合においても、送信操作を行うことなく、他方の携帯電話機の画面に変更された情報が表示される。
【０１４１】
使用例は、上述したものに限られるものではない。例えば、電話で顧客に商品の説明を行う場合、又は製品の故障時の対応の場合などにも使用することができる。このような場合には、音声のみの説明では、容易に理解できなかった内容が、音声通話を行いながら、画面に同じ情報を共有して随時表示させることにより、顧客の理解度を高めることができるとともに、商品説明又は製品故障時のサービスの向上を図ることができる。
また、ユーザーが所有する写真などの個人情報も、制御装置５に記憶することができ、前記個人情報についても、同様に、一方のユーザーが、自分の所有している写真などを、アルバムを開いて他人に見せるように、相手の携帯電話機の画面上に表示させることが可能となる。
【０１４２】
実施の形態１においては、携帯電話機が用いられているが、携帯電話機に限られず、固定電話機、又はＰＣ、ＰＤＡなどの情報通信機であってもよい。
また、Ｗ−ＣＤＭＡなどの無線ネットワークに限られず、有線ネットワーク又は他の通信網であってもよい。回線交換・パケット交換網はＡＴＭ方式に限られるものではない。
また、制御装置５の制御プログラム５１０は、複数のサーバーコンピュータに分散してあってもよい。
また、制御装置５の記憶部５２に記憶された各種の情報ＤＢは、データベースサーバーコンピュータに記憶する構成であってもよい。
【０１４３】
ウェブページを記述する言語は、Ｃ−ＨＴＭＬに限られず、ＨＴＭＬなどであってもよい。
指定情報としては、携帯電話機の電子メールアドレスが用いられたが、これに限定されるものではなく、電話番号などを用いたものであってもよい。
【０１４４】
実施の形態１においては、マスター１１とスレーブ１２との間でリンクを許容しているどうかは、許容者情報ＤＢ５２２を検索することにより行われるが、マスター１１からスレーブ１２、又はスレーブ１２からマスター１１へ電子メールなどを送信することにより、その都度ユーザーに許容するかどうかを確認する方法であってもよい。
【０１４５】
実施の形態１においては、マスター１１がスレーブ１２からのリンクを許容していない場合に、マスター１１とスレーブ１２との間で一方向型のリンクサービスを行うが、これに限定されるものではなく、一方向型のリンクサービスにおいても、スレーブ１２はマスターへ、マスター１１はスレーブへ変更することができるものであってもよい。
【０１４６】
実施の形態１においては、マスター１１とスレーブ１２との間で双方向型のリンクサービスを行う場合に、スレーブ１２は、マスター１１を指定するための電子メールアドレスを制御装置５へ送信するが、すでにマスター１１とスレーブ１２との間において通信が確立されているので、スレーブ１２はマスター１１の電子メールアドレスを送信しない構成であってもよい。
【０１４７】
実施の形態２
次に、携帯電話機１１、１２夫々が、相手側の携帯電話機１２、１１を指定する指定情報である電子メールアドレスを制御装置５へ送信することにより、リンクサービスを行う場合について説明する。
【０１４８】
図１に示す情報表示システムの概要、図２に示すＷＷＷサーバーコンピュータ７のハードウェア構成、図４に示すマルチアクセスの接続手順の概要は、実施の形態１と同様であるので説明は省略する。
また、図７に示す加入者情報ＤＢ５２０のレコードレイアウト、図８に示す許容者情報ＤＢ５２２のレコードレイアウト、図９に示す個人情報ＤＢ５２１のレコードレイアウトも、実施の形態１と同様であるので説明は省略する。
【０１４９】
図３に示す携帯電話機１１の構成において、送受信部１１５は、加入者IＤと、相手側の携帯電話機の電子メールアドレスと、携帯電話機１１のクライアント状況（携帯電話機１１がマスターであることを示す「マスター」、携帯電話機１１がスレーブであることを示す「スレーブ」、リンクサービスが行われていない状況を示す「オフ」）とから構成されるリンケージ情報、ＵＲＬで特定されるウェブページの表示を要求する「ウェブページ要求」及びマスターである携帯電話機の表示するウェブページを要求する「マスターの表示するウェブページ要求」を制御装置５へ送信する。また、制御装置５から、リンケージ中であるか否かを示すリンケージ状況を受信する。他の構成は、実施の形態１と同様であるので説明は省略する。
【０１５０】
図２１は、制御装置５のハードウェア構成を示すブロック図である。図において、記憶部５２には、登録された加入者の情報を示す加入者情報ＤＢ５２０、加入者が所有する写真などの個人情報を示す個人情報ＤＢ５２１、携帯電話機同士で表示画面の共有を許容するか否かを示す許容者情報ＤＢ５２２、携帯電話機からリンクサービスを要求する際の基本情報となるリンケージ情報ＤＢ５２６、リンクサービスを行っている携帯電話機同士を特定するマッチング情報ＤＢ５２７、制御装置５において作成されたウェブページを識別するためのウェブページ識別ＤＢ５２８、各種情報をウェブブラウザ上で表示させるためのＣ−ＨＴＭＬファイル５２４、及び画像ファイル５２５が記憶されている。
【０１５１】
図２２は、リンケージ情報ＤＢ５２６のレコードレイアウトを示す説明図である。図に示すように、リンケージ情報ＤＢ５２６は、加入者ＩＤと、該加入者ＩＤで特定されるユーザーが指定する相手先の電子メールアドレスと、加入者ＩＤに対応する携帯電話機のクライアント状況（「マスター」、「スレーブ」、「オフ」）とから構成されている。
リンケージ情報である加入者ＩＤ、相手先の電子メールアドレス、及びクライアント状況は、携帯電話機１１、１２においてウェブブラウザ１１２を起動する時、及び携帯電話機１１、１２のクライアント状況を変更する時（例えば、マスターからスレーブ、スレーブからマスターなど）に、携帯電話機１１、１２から制御装置５へ送信され、制御装置５は受信したリンケージ情報をリンケージ情報ＤＢ５２６に記憶する。
【０１５２】
図２３は、マッチング情報ＤＢ５２７のレコードレイアウトを示す説明図である。マッチング情報ＤＢに記憶されるマッチング情報は、どの携帯電話機同士がリンクサービスを行っているかを示し、図に示すように、マッチング情報ＤＢ５２７は、マスターの加入者ＩＤ及び電子メールアドレス、スレーブの加入者ＩＤ及び電子メールアドレス、リンケージ状況（リンケージ中を示す「オン」と非リンケージ中を示す「オフ」）、マスター又はスレーブからのアクセスが無い状態の経過時間などから構成されている。
携帯電話機１１、１２夫々が送信したリンケージ情報を受信した制御装置５は、携帯電話機１１が指定する相手が携帯電話機１２であり、かつ携帯電話機１２が指定した相手が携帯電話機１１であると判定した場合に、携帯電話機１１及び１２の間でリンクサービスを開始し、その際に、マッチング情報を作成する。なお、制御装置５は、マッチング情報を作成する際に、携帯電話機１１、１２夫々から送信されたリンケージ情報を破棄する。
【０１５３】
図２４は、ウェブページ識別ＤＢ５２８のレコードレイアウトを示す説明図である。図に示すように、ウェブページ識別ＤＢ５２８は、ウェブページ識別番号、該ウェブページ識別番号に対応するＵＲＬ、前記ウェブページを作成した時間、マスターの画面上に表示されているか否かを示す情報などから構成されている。マスターである携帯電話機１１、１２のいずれかからの「ウェブページ要求」に基づいて、制御装置５がウェブページをＣ−ＨＴＭＬファイルとして作成すると、該ファイルにウェブページを識別するためのウェブページ識別番号が挿入されるとともに、ウェブページ識別ＤＢ５２８が作成され、マスターである携帯電話機１１、１２のいずれかにおけるウェブページの更新の有無、スレーブである携帯電話機１１、１２のいずれかから送信される「マスターの表示するウェブページ要求」に基づいて、マスターの表示するウェブページとスレーブの表示するウェブページとの比較に用いられる。
【０１５４】
実施の形態２においては、図６の制御プログラム５１０は、実施の形態１における処理に加えて、さらに以下の処理を行う。
受信部５１５は、携帯電話機１１、１２からリンケージ情報、携帯電話機１１、１２に表示されているウェブページに対応するウェブページ識別番号、マスターから送信されるＵＲＬで特定されるウェブページを要求する「ウェブページ要求」、及びスレーブからの「マスターの表示するウェブページ要求」を受信し、記憶部５１７を介して受信したリンケージ情報をリンケージ情報ＤＢ５２６に記憶する。また、ＷＷＷサーバーコンピュータ７から送信されたウェブページのデータを受信する。
【０１５５】
リンク制御部５１４は、携帯電話機１１、１２からの「ウェブページ要求」から、携帯電話機１１、１２に表示する情報を特定するＵＲＬを抽出し、前記ＵＲＬがＷＷＷサーバーコンピュータ７に記憶されている情報である場合は、ＷＷＷサーバーコンピュータ７からウェブページのデータを取得するために、前記ＵＲＬを送信部５１６へ引き渡す。また、ＷＷＷサーバーコンピュータ７から受信したウェブページのデータからＣ−ＨＴＭＬファイルを作成し、ウェブページ識別番号を設定して、前記Ｃ−ＨＴＭＬファイル及びウェブページ識別番号を記憶部５２に記憶する。
なお、携帯電話機１１、１２からの「ウェブページ要求」が、制御装置５に記憶されている個人情報に対するものである場合は、実施の形態１と同様にＨＴＴＰ制御部５１１が、受信したＵＲＬにより特定される個人情報をＣ−ＨＴＭＬファイルとして携帯電話機１１、１２へ送信するとともに、リンク制御部５１４は、ウェブページ識別番号を設定する。
【０１５６】
また、リンク制御部５１４は、スレーブである携帯電話機１１、１２のいずれかから「マスターの表示するウェブページ要求」を受信すると、前記要求を判定部５１８へ知らせる。判定部５１８は、スレーブである携帯電話機１１、１２いずれかの表示するウェブページのウェブページ識別番号と、マスターである携帯電話機１１、１２のいずれかの表示するウェブページのウェブページ識別番号とが一致するか否かを判定する。判定した結果、両者のウェブページ識別番号が相違する場合は、マスターである携帯電話機１１、１２のいずれかの表示するウェブページが更新されているため、リンク制御部５１４は、送信部５１６を介してマスターである携帯電話機１１、１２のいずれかの表示するウェブページをスレーブである携帯電話機１１、１２のいずれかへ送信する。
判定した結果、両者のウェブページ識別番号が同じ場合は、マスターである携帯電話機１１、１２のいずれかの表示するウェブページが更新されていないため、リンク制御部５１４は、マスターである携帯電話機１１、１２のいずれかの表示するウェブページが更新されるのを待つ。
【０１５７】
また、リンク制御部５１４は、スレーブである携帯電話機１１、１２のいずれかから「マスターの表示するウェブページ要求」を受信すると、スレーブ接続待ち時間の計数を開始し、所定のスレーブ待ち時間経過までに、マスターである携帯電話機１１、１２のいずれかの表示するウェブページが更新されない場合は、送信部５１６を介してスレーブである携帯電話機１１、１２のいずれかに、再度「マスターの表示するウェブページ要求」を発信するように「再問い合わせの要求」を送信する。
【０１５８】
また、リンク制御部５１４は、マッチング情報が作成された後、マッチング情報破棄時間の計数を開始し、所定のマッチング情報破棄時間の経過までに、携帯電話機１１、１２（マスター又はスレーブ）のいずれかのアクセスが無い場合は、携帯電話機１１、１２に対応するマッチング情報を破棄するとともに、送信部５１６を介して、リンクサービスが行われていないことを示すクライアント状況「オフ」を携帯電話機１１、１２へ送信する。
また、リンク制御部５１４は、リンケージ情報が受信された後、リンケージ情報破棄時間の計数を開始し、所定のリンケージ情報破棄時間の経過までに、マッチングできない場合は、受信したリンケージ情報を破棄するとともに、送信部５１６を介して携帯電話機１１、１２へクライアント状況「オフ」を送信する。
【０１５９】
送信部５１６は、リンク制御部５１４から引き渡されたＵＲＬで特定されるウェブページのデータをＷＷＷサーバーコンピュータ７へ要求するため前記ＵＲＬをＷＷＷサーバーコンピュータ７へ送信する。また、リンケージ状況、クライアント状況を携帯電話機１１、１２へ送信する。
また、送信部５１６は、リンク制御部５１４で作成されたＣ−ＨＴＭＬファイルを携帯電話機１１、１２へ送信する。
また、送信部５１６は、再度「マスターの表示するウェブページ要求」を発信するように「再問い合わせの要求」を携帯電話機１１、１２へ送信する。
【０１６０】
判定部５１８は、携帯電話機１１、１２夫々のリンケージ情報をリンケージ情報ＤＢ５２６から読み出し、携帯電話機１１が指定する相手側の携帯電話機の電子メールアドレスが、携帯電話機１２の電子メールアドレスと一致し、かつ、携帯電話機１２が指定する相手側の携帯電話機の電子メールアドレスが、携帯電話機１１の電子メールアドレスと一致するか否かを判定する。
また、判定部５１８は、判定の結果、両者が一致した場合には、マッチング情報を作成して記憶部５１７を介してマッチング情報ＤＢ５２７に記憶する。
また、判定部５１８は、上述のように、ウェブページ識別番号に基づいて、マスターの表示するウェブページが更新されたか否かを判定する。
【０１６１】
また、判定部５１８は、判定の結果に基づいて、送信部５１６を介して、リンケージ状況（リンクサービス中である場合は「オン」、リンクサービス中でない場合は「オフ」）を携帯電話機１１、１２へ送信する。
また、判定部５１８は、スレーブである携帯電話機１１、１２のいずれかが、マスターである携帯電話機１１、１２のいずれかからＵＲＬで特定される情報の受信を許容するか否かの判定を行う。
記憶部５１７は、受信部５１５、判定部５１８などからの指示により、リンケージ情報ＤＢ５２６、マッチング情報ＤＢ５２７、ウェブページ識別ＤＢ５２８の作成・更新・廃棄などを行う。また、実施の形態１と同様に、写真などの個人情報を記憶する。
【０１６２】
以上の構成において、実施の形態２における情報表示システムの処理手順について説明する。図２５、図２６、図２７、図２８、図２９及び図３０は情報表示システムの処理手順を示すフローチャートである。実施の形態１と同様に、以下の手順においても、携帯電話機１１（以下、マスター１１という）と携帯電話機１２（以下、スレーブ１２という）との間においては、通信回線３を介して音声通話が行われている。
【０１６３】
マスター１１のユーザーがウェブブラウザ１１２を起動するための操作キーを押すと、マスター１１は、ウェブブラウザ１１２を起動し（Ｓ２０１）、リンケージ情報であるマスター１１のクライアント状況（マスター）、スレーブ１２の電子メールアドレス、及びホームページを表示するためホームページのＵＲＬを入力するための画面を表示する。マスター１１のユーザーがクライアント状況（マスター）とスレーブ１２の電子メールアドレスを入力すると、マスター１１の加入者ＩＤを含めたリンケージ情報が設定される（Ｓ２０２）。
【０１６４】
マスター１１のユーザーがホームページのＵＲＬを入力すると、マスター１１はリンケージ情報及びホームページのＵＲＬを制御装置５へ送信する（Ｓ２０３）。制御装置５は、送信されたリンケージ情報及びホームページのＵＲＬを受信し（Ｓ２０４）、前記ＵＲＬに基づいてホームページを作成し（Ｓ２０５）、作成したホームページをＣ−ＨＴＭＬのファイルとしてマスター１１へ送信する（Ｓ２０６）。マスター１１はホームページをＣ−ＨＴＭＬファイルとして受信し（Ｓ２０７）する。マスター１１のユーザーは、表示されたホームページ上で、スレーブ１２の画面にも表示させたい情報を特定するＵＲＬを入力又は選択することにより、マスター１１は、「ウェブページ要求」を制御装置５へ送信する（Ｓ２０８）。
【０１６５】
制御装置５は、マスター１１からの「ウェブページ要求」を受信する（Ｓ２０９）。制御装置５は、実施の形態１と同様に、ユーザーが選択したメニューにより、制御装置５がＵＲＬに添付されたフラグにより、前記ＵＲＬで特定される情報が制御装置５に記憶されている個人情報か、又はＷＷＷサーバーコンピュータ７に記憶されている情報であるかを判定して、判定結果に基づいて、前記ＵＲＬで特定されるウェブページのデータを個人情報ＤＢ５２１又はＷＷＷサーバーコンピュータ７から取得する（Ｓ２１０）。なお、リンクアクセスが「個人情報アクセス」か「ウェブページアクセス」かの判定手順は、実施の形態１と同様なので、説明は省略する。
【０１６６】
制御装置５は、取得したウェブページのデータからＣ−ＨＴＭＬファイルとしてウェブページを作成し（Ｓ２１１）、作成したウェブページのウェブページ識別番号を前記Ｃ−ＨＴＭＬファイルに挿入してウェブページ識別番号を設定する（Ｓ２１２）。制御装置５は、作成したウェブページをマスター１１へ送信し（Ｓ２１３）、マスター１１は、前記ウェブページを受信する（Ｓ２１４）。マスター１１は受信したＣ−ＨＴＭＬファイルを処理することにより前記ＵＲＬで特定された情報を画面上に表示する（Ｓ２１５）。なお、マスター１１は、表示した情報の履歴をウェブページ識別番号とともに、記憶しておくことも可能である。マスター１１のユーザーが画面上に表示されている情報と異なる情報を特定するＵＲＬを入力又は選択すると、マスター１１は、別のウェブページ要求が有ると判定し（Ｓ２１６でＹＥＳ）、ステップＳ２０８以降の処理を続ける。
【０１６７】
一方、スレーブ１２のユーザーがウェブブラウザ１１２を起動するための操作キーを押すと、スレーブ１２は、ウェブブラウザ１１２を起動し（Ｓ２１７）、リンケージ情報であるスレーブ１２のクライアント状況（スレーブ）、及びマスター１１の電子メールアドレスを入力するための画面を表示する。スレーブ１２のユーザーがクライアント状況（スレーブ）とマスター１１の電子メールアドレスを入力すると、スレーブ１２の加入者ＩＤを含めたリンケージ情報が設定される（Ｓ２１８）。
【０１６８】
スレーブ１２のユーザーが、マスター１１の画面に表示されているウェブページをスレーブ１２の画面上にも表示させるために、「マスター１１の表示するウェブページ要求」を、画面上で入力又は選択すると、スレーブ１２は、前記「マスター１１の表示するウェブページ要求」とスレーブ１２のリンケージ情報を制御装置５へ送信する（Ｓ２１９）。制御装置５は、スレーブ１２からの「マスター１１の表示するウェブページ要求」とリンケージ情報を受信する（Ｓ２２０）。
【０１６９】
制御装置５は、ステップＳ２０４において受信したマスター１１のリンケージ情報と、スレーブ１２から受信したスレーブ１２のリンケージ情報とから、マスター１１の指定するスレーブ１２と、スレーブ１２が指定するマスター１１との比較を行い（Ｓ２２１）、マスター１１、スレーブ１２が指定した相手夫々がスレーブ１２、マスター１１でない場合、すなわちリンケージ状況が「オン」でない場合は（Ｓ２２２でＮＯ）、スレーブ１２の接続待ち時間を経過したか否かを判定し、経過していない場合は（Ｓ２２３でＮＯ）、ステップＳ２２１以降の処理を続ける。ステップＳ２２３において、スレーブ１２の接続待ち時間を経過した場合は（Ｓ２２３でＹＥＳ）、制御装置５は、「マスター１１の表示するウェブページ要求」の「再問い合わせの要求」をスレーブ１２へ送信し（Ｓ２２４）、後述するステップＳ２３０以降の処理を続ける。
【０１７０】
一方、マスター１１、スレーブ１２が指定した相手夫々がスレーブ１２、マスター１１と一致する場合、すなわちリンケージ状況が「オン」である場合は（Ｓ２２２でＹＥＳ）、マスター１１及びスレーブ１２から送信されたリンケージ情報を破棄するとともに、マッチング情報を作成し（Ｓ２２５）、マッチング情報ＤＢ５２７に記憶する。制御装置５は、マスター１１とスレーブ１２との間でリンケージ中であることを示すリンケージ状況「オン」をマスター１１及びスレーブ１２に通知し（Ｓ２２６）、ウェブページ識別番号に基づいて、マスター１１の表示するウェブページをＣ−ＨＴＭＬファイルとしてスレーブ１２へ送信する（Ｓ２２７）。
【０１７１】
スレーブ１２は、前記ウェブページを受信する（Ｓ２２８）。スレーブ１２は受信したＣ−ＨＴＭＬファイルを処理することにより前記ＵＲＬで特定された情報を画面上に表示する（Ｓ２２９）。なお、スレーブ１２は、表示した情報の履歴をウェブページ識別番号とともに、記憶しておくことも可能である。これにより、マスター１１に表示されるウェブページがスレーブ１２にも表示される。スレーブ１２のユーザーが画面上で、「マスター１１の表示するウェブページ要求」を入力又は選択すると、スレーブ１２は、「マスター１１の表示するウェブページ要求」が有ると判定し（Ｓ２３０でＹＥＳ）、「マスター１１の表示するウェブページ要求」を制御装置５へ送信し（Ｓ２３１）、スレーブ１２の画面上に表示されているウェブページ識別番号を制御装置５へ送信する（Ｓ２３２）。
【０１７２】
制御装置５は、「マスター１１の表示するウェブページ要求」と、スレーブ１２の表示するウェブページ識別番号を受信し（Ｓ２３３）、リンケージ状況が「オン」であるか否かを判定し、リンケージ状況が「オン」でない場合は（Ｓ２３４でＮＯ）、スレーブ１２の接続待ち時間の経過を判定し、所定の接続待ち時間が経過していない場合は（Ｓ２３５でＮＯ）、ステップＳ２３４以降の処理を続ける。一方、スレーブ１２の接続待ち時間が経過している場合は（Ｓ２３５でＹＥＳ）、制御装置５は、「マスター１１の表示するウェブページ要求」の「再問い合わせの要求」をスレーブ１２へ送信し（Ｓ２３６）、ステップＳ２３０以降の処理を続ける。
【０１７３】
リンケージ状況が「オン」である場合は（Ｓ２３４でＹＥＳ）、マスター１１の表示するウェブページ識別番号とスレーブ１２の表示するウェブページ識別番号とが一致するか否かを判定することにより、マスター１１の表示するウェブページの更新があったか否かを判定し、更新があった場合は（Ｓ２３７でＹＥＳ）、ステップＳ２２７以降の処理を続ける。更新が無い場合は（Ｓ２３７でＮＯ）、スレーブ１２の接続待ち時間を経過したか否かを判定し、所定の接続待ち時間が経過していない場合は（Ｓ２３８でＮＯ）、ステップＳ２３７以降の処理を続ける。スレーブ１２の接続待ち時間を経過した場合は（Ｓ２３８でＹＥＳ）、ステップＳ２３６以降の処理を続ける。
【０１７４】
一方、マスター１１のユーザーが別の情報を特定するＵＲＬを入力又は選択しない場合、すなわち別のウェブページ要求が無い場合は（Ｓ２１６でＮＯ）、マスター１１は、マスター１１のユーザーが画面上でサービス終了の操作を行ったか否かを判定し、サービス終了の要求が無い場合は（Ｓ２３９でＮＯ）、制御装置５はマスター１１からのアクセス待ちの時間が経過したか否かを判定し、マスター１１からのアクセス待ち時間が経過していない場合は（Ｓ２４０でＮＯ）、ステップＳ２１６以降の処理を続ける。マスター１１からのアクセス待ち時間が経過した場合は（Ｓ２４０でＹＥＳ）、マスター１１及びスレーブ１２に対して、クライアント状況が「オフ」であることを通知し（Ｓ２４１）、リンクサービスを終了する（Ｓ２４２）。サービス終了の要求があった場合は(Ｓ２３９でＹＥＳ)、ステップＳ２４１以降の処理を続け、サービスを終了する。
【０１７５】
一方、スレーブ１２のユーザーが、「マスター１１の表示するウェブページ要求」を行わない場合は（Ｓ２３０でＮＯ）、スレーブ１２は、スレーブ１２のユーザーが画面上でサービス終了の操作を行ったか否かを判定し、サービス終了の要求が無い場合は（Ｓ２４３でＮＯ）、制御装置５はスレーブ１２からのアクセス待ちの時間が経過したか否かを判定し、スレーブ１２からのアクセス待ち時間が経過していない場合は（Ｓ２４０でＮＯ）、ステップＳ２３０以降の処理を続ける。スレーブ１２からのアクセス待ち時間が経過した場合は（Ｓ２４０でＹＥＳ）、スレーブ１２及びマスター１１に対して、クライアント状況が「オフ」であることを通知し（Ｓ２４１）、リンクサービスを終了する（Ｓ２４２）。サービス終了の要求があった場合は(Ｓ２４３でＹＥＳ)、ステップＳ２４１以降の処理を続け、サービスを終了する。
【０１７６】
上記手順においては、携帯電話機１１をマスター１１とし、携帯電話機１２をスレーブ１２としたが、これに限られるものではなく、携帯電話機１１、１２いずれも、マスターからスレーブ、又はスレーブからマスターへと変更することが可能である。この場合は、携帯電話機１１、１２のユーザーが、クライアント状況の変更画面からクライアント状況の変更操作を行うことにより、クライアント状況は制御装置５へ送信される。これにより、携帯電話機１１がマスターからスレーブになり、携帯電話機１２がスレーブからマスターになることが可能である。
【０１７７】
携帯電話機１１、１２のユーザーは、過去に表示した情報の履歴を記憶し、過去に表示した情報を相手側の携帯電話機にも表示させたい場合は、携帯電話機１１、１２のユーザーは、過去に表示した情報を画面上で選択することにより、携帯電話機１１、１２は、前記情報に対応するウェブページ識別番号を制御装置５へ送信する。前記ウェブページ識別番号を受信した制御装置５は、受信したウェブページ識別番号に基づいて、ウェブページ識別ＤＢ５２８にアクセスし、前記ウェブページ識別番号により特定される情報を、相手側の携帯電話機１１、１２のいずれかへ送信し、該携帯電話機１１、１２は、受信した情報を表示することも可能である。また、相手側の携帯電話機１１、１２が、表示させたい情報を記憶している場合は、制御装置５は、受信したウェブページ識別番号を相手側の携帯電話機１１、１２のいずれかへ送信し、前記ウェブページ番号を受信した相手側の携帯電話機１１、１２は、受信したウェブページ識別番号により特定される情報を抽出して表示する構成であってもよい。
【０１７８】
実施の形態２は、実施の形態１と同様に、制御装置５が、スレーブ１２がマスター１１からのリンクを許容しているか否かを判定するために、許容者情報ＤＢ５２２を検索し、判定結果に基づいてマスター１１の表示する個人情報又はウェブページのスレーブ１２への送信を制御するので説明は省略する。
【０１７９】
実施の形態２は、実施の形態１と同様に、制御装置５は、受信した加入者ＩＤに基づいて、加入者ＤＢ５２０を検索して、マスター１１及びスレーブ１２が加入者であるか否かを判定することができる。
【０１８０】
実施の形態２は、実施の形態１と同様に、マスター１１及びスレーブ１２のユーザーは、画面上から「個人情報登録」を選択することにより、個人情報を登録することができ、制御装置５は、前記個人情報を個人情報ＤＢ５２１に記憶することができる。
【０１８１】
なお、携帯電話機１１、１２から送信されるリンケージ情報において、加入者ＩＤは、これに限られるものではなく、携帯電話機を識別するための端末識別番号であれば、いずれのものでもよい。また、相手側を指定する電子メールアドレスは、これに限られるものではなく、相手側の電話番号、端末識別番号などであってもよい。
【０１８２】
実施の形態３
実施の形態２においては、マスター１１に表示された情報をスレーブ１２へ送信するものであった。実施の形態３においては、マスター１１に表示された情報に対応するＵＲＬ又はウェブページ識別番号に基づいて情報を取得し、取得した情報をスレーブ１２へ送信する。
【０１８３】
以下、実施の形態２と異なる部分について説明する。図３１は、ウェブページ識別ＤＢ５２８のレコードレイアウトを示す説明図である。図に示すように、ウェブページ識別ＤＢ５２８は、マスター側のウェブページ識別番号、該ウェブページ識別番号に対応するＵＲＬ、前記ウェブページを作成した時間、マスターの画面上に表示されているか否かを示す情報、スレーブ側のウェブページ識別番号、該ウェブページ識別番号に対応するＵＲＬ、前記ウェブページを作成した時間、スレーブの画面上に表示されているか否かを示す情報などから構成されている。
【０１８４】
携帯電話機１１、１２のいずれかからの「ウェブページ要求」に基づいて、制御装置５がウェブページをＣ−ＨＴＭＬファイルとして作成すると、該ファイルにウェブページを識別するためのウェブページ識別番号が挿入されるとともに、該ウェブページ識別番号に対応するＵＲＬを有するウェブページ識別ＤＢ５２８が作成され、マスターである携帯電話機１１、１２のいずれかにおけるウェブページの更新の有無、スレーブである携帯電話機１１、１２のいずれかから送信される「マスターの表示するウェブページ要求」に基づいて、マスターの表示するウェブページとスレーブの表示するウェブページとの比較に用いられる。
【０１８５】
実施の形態３においては、図６の制御プログラム５１０は、実施の形態２における処理に加えて、さらに以下の処理を行う。
受信部５１５は、携帯電話機１１、１２からリンケージ情報、携帯電話機１１、１２に表示されているウェブページに対応するＵＲＬ又はウェブページ識別番号、マスター又はスレーブから送信されるＵＲＬで特定されるウェブページを要求する「ウェブページ要求」、及びスレーブからの「マスターの表示するウェブページ要求」を受信し、記憶部５１７を介して受信したリンケージ情報をリンケージ情報ＤＢ５２６に記憶する。また、ＷＷＷサーバーコンピュータ７から送信されたウェブページのデータを受信する。
【０１８６】
リンク制御部５１４は、スレーブである携帯電話機１１、１２のいずれかから「マスターの表示するウェブページ要求」を受信すると、前記要求を判定部５１８へ知らせる。判定部５１８は、スレーブである携帯電話機１１、１２いずれかの表示するウェブページのＵＲＬ又はウェブページ識別番号と、マスターである携帯電話機１１、１２のいずれかの表示するウェブページのＵＲＬ又はウェブページ識別番号とが一致するか否かを判定する。判定した結果、両者のＵＲＬ又はウェブページ識別番号が相違する場合は、マスターである携帯電話機１１、１２のいずれかの表示するウェブページが更新されているため、リンク制御部５１４は、送信部５１６を介してマスターである携帯電話機１１、１２のいずれかの表示するウェブページに対応するＵＲＬをＷＷＷサーバーコンピュータ７へ送信し、ＷＷＷサーバーコンピュータ７から、前記ＵＲＬにより特定される情報を受信する。
【０１８７】
判定した結果、両者のＵＲＬ又はウェブページ識別番号が同じ場合は、マスターである携帯電話機１１、１２のいずれかの表示するウェブページが更新されていないため、リンク制御部５１４は、マスターである携帯電話機１１、１２のいずれかの表示するウェブページが更新されるのを待つ。
【０１８８】
また、判定部５１８は、スレーブである携帯電話機１１、１２のいずれかが、マスターである携帯電話機１１、１２が表示する情報に対応するＵＲＬ又はウェブページ識別番号の受信を許容するか否かの判定を行う。
【０１８９】
以上の構成において、実施の形態３における情報表示システムの処理手順について説明する。図３２、図３３、図３４、図３５、図３６、図３７及び図３８は情報表示システムの処理手順を示すフローチャートである。実施の形態２と同様に、以下の手順においても、携帯電話機１１（以下、マスター１１という）と携帯電話機１２（以下、スレーブ１２という）との間においては、通信回線３を介して音声通話が行われている。
【０１９０】
実施の形態３において、ステップＳ３０１からステップＳ３０７までは、実施の形態２におけるステップＳ２０１からステップＳ２０７と同様であるので、説明を省略する。
マスター１１のユーザーは、表示されたホームページ上で、スレーブ１２の画面にも表示させたい情報を特定するＵＲＬを入力又は選択することにより、マスター１１は、「ウェブページ要求」を制御装置５へ送信する（Ｓ３０８）。
【０１９１】
制御装置５は、マスター１１からの「ウェブページ要求」を受信する（Ｓ３０９）。制御装置５は、実施の形態２と同様に、ユーザーが選択したメニューにより、制御装置５がＵＲＬに添付されたフラグにより、前記ＵＲＬで特定される情報が制御装置５に記憶されている個人情報か、又はＷＷＷサーバーコンピュータ７に記憶されている情報であるかを判定して、判定結果に基づいて、前記ＵＲＬで特定されるウェブページのデータを個人情報ＤＢ５２１又はＷＷＷサーバーコンピュータ７から取得する（Ｓ３１０）。なお、リンクアクセスが「個人情報アクセス」か「ウェブページアクセス」かの判定手順は、実施の形態１と同様なので、説明は省略する。
【０１９２】
制御装置５は、取得したウェブページのデータからＣ−ＨＴＭＬファイルとしてウェブページを作成し（Ｓ３１１）、作成したウェブページのウェブページ識別番号を前記Ｃ−ＨＴＭＬファイルに挿入してウェブページ識別番号を設定し（Ｓ３１２）、設定したウェブページ識別番号と該ウェブページ識別番号に対応するＵＲＬとをウェブページ識別情報ＤＢ５２８へ記憶する（Ｓ３１３）。制御装置５は、作成したウェブページをマスター１１へ送信し（Ｓ３１４）、マスター１１は、前記ウェブページを受信する（Ｓ３１５）。マスター１１は受信したＣ−ＨＴＭＬファイルを処理することにより前記ＵＲＬで特定された情報を画面上に表示する（Ｓ３１６）。なお、マスター１１は、表示した情報の履歴をＵＲＬ又はウェブページ識別番号とともに、記憶しておくことも可能である。マスター１１のユーザーが画面上に表示されている情報と異なる情報を特定するＵＲＬを入力又は選択すると、マスター１１は、別のウェブページ要求が有ると判定し（Ｓ３１７でＹＥＳ）、ステップＳ３０８以降の処理を続ける。
【０１９３】
一方、スレーブ１２のユーザーがウェブブラウザ１１２を起動するための操作キーを押すと、スレーブ１２は、ウェブブラウザ１１２を起動し（Ｓ３１８）、リンケージ情報であるスレーブ１２のクライアント状況（スレーブ）、及びマスター１１の電子メールアドレスを入力するための画面を表示する。スレーブ１２のユーザーがクライアント状況（スレーブ）とマスター１１の電子メールアドレスを入力すると、スレーブ１２の加入者ＩＤを含めたリンケージ情報が設定される（Ｓ３１９）。
【０１９４】
スレーブ１２のユーザーが、マスター１１の画面に表示されているウェブページをスレーブ１２の画面上にも表示させるために、「マスター１１の表示するウェブページ要求」を、画面上で入力又は選択すると、スレーブ１２は、前記「マスター１１の表示するウェブページ要求」とスレーブ１２のリンケージ情報を制御装置５へ送信する（Ｓ３２０）。制御装置５は、スレーブ１２からの「マスター１１の表示するウェブページ要求」とリンケージ情報を受信する（Ｓ３２１）。
【０１９５】
制御装置５は、ステップＳ３０４において受信したマスター１１のリンケージ情報と、スレーブ１２から受信したスレーブ１２のリンケージ情報とから、マスター１１の指定するスレーブ１２と、スレーブ１２が指定するマスター１１との比較を行い（Ｓ３２２）、マスター１１、スレーブ１２が指定した相手夫々がスレーブ１２、マスター１１でない場合、すなわちリンケージ状況が「オン」でない場合は（Ｓ３２３でＮＯ）、スレーブ１２の接続待ち時間を経過したか否かを判定し、経過していない場合は（Ｓ３２４でＮＯ）、ステップＳ３２２以降の処理を続ける。ステップＳ３２４において、スレーブ１２の接続待ち時間を経過した場合は（Ｓ３２４でＹＥＳ）、制御装置５は、「マスター１１の表示するウェブページ要求」の「再問い合わせの要求」をスレーブ１２へ送信し（Ｓ３２５）、後述するステップＳ３３５以降の処理を続ける。
【０１９６】
一方、マスター１１、スレーブ１２が指定した相手夫々がスレーブ１２、マスター１１と一致する場合、すなわちリンケージ状況が「オン」である場合は（Ｓ３２３でＹＥＳ）、マスター１１及びスレーブ１２から送信されたリンケージ情報を破棄するとともに、マッチング情報を作成し（Ｓ３２６）、マッチング情報ＤＢ５２７に記憶する。制御装置５は、マスター１１とスレーブ１２との間でリンケージ中であることを示すリンケージ状況「オン」をマスター１１及びスレーブ１２に通知し（Ｓ３２７）、ＵＲＬで特定されるウェブページのデータを個人情報ＤＢ５２１又はＷＷＷサーバーコンピュータ７から取得する（Ｓ３２８）。
【０１９７】
制御装置５は、取得したウェブページのデータからＣ−ＨＴＭＬファイルとしてウェブページを作成し（Ｓ３２９）、作成したウェブページのウェブページ識別番号を前記Ｃ−ＨＴＭＬファイルに挿入してウェブページ識別番号を設定し（Ｓ３３０）、設定したウェブページ識別番号と該ウェブページ識別番号に対応するＵＲＬとをウェブページ識別情報ＤＢ５２８へ記憶する（Ｓ３３１）。制御装置５は、作成したウェブページをスレーブ１２へ送信し（Ｓ３３２）、スレーブ１２は、前記ウェブページを受信する（Ｓ３３３）。
スレーブ１２は受信したＣ−ＨＴＭＬファイルを処理することにより前記ＵＲＬで特定された情報を画面上に表示する（Ｓ３３４）。なお、スレーブ１２は、表示した情報の履歴をＵＲＬ又はウェブページ識別番号とともに、記憶しておくことも可能である。
【０１９８】
スレーブ１２のユーザーが画面上で、「マスター１１の表示するウェブページ要求」を入力又は選択すると、スレーブ１２は、「マスター１１の表示するウェブページ要求」が有ると判定し（Ｓ３３５でＹＥＳ）、「マスター１１の表示するウェブページ要求」を制御装置５へ送信し（Ｓ３３６）、スレーブ１２の画面上に表示されているＵＲＬを制御装置５へ送信する（Ｓ３３７）。
【０１９９】
制御装置５は、「マスター１１の表示するウェブページ要求」と、スレーブ１２の表示する情報に対応するＵＲＬを受信し（Ｓ３３８）、リンケージ状況が「オン」であるか否かを判定し、リンケージ状況が「オン」でない場合は（Ｓ３３９でＮＯ）、スレーブ１２の接続待ち時間の経過を判定し、所定の接続待ち時間が経過していない場合は（Ｓ３４０でＮＯ）、ステップＳ３３９以降の処理を続ける。一方、スレーブ１２の接続待ち時間が経過している場合は（Ｓ３４０でＹＥＳ）、制御装置５は、「マスター１１の表示するウェブページ要求」の「再問い合わせの要求」をスレーブ１２へ送信し（Ｓ３４１）、ステップＳ３３５以降の処理を続ける。
【０２００】
リンケージ状況が「オン」である場合は（Ｓ３３９でＹＥＳ）、マスター１１の表示する情報に対応するＵＲＬとスレーブ１２の表示する情報に対応するＵＲＬとが一致するか否かを判定することにより、マスター１１の表示するウェブページの更新があったか否かを判定し、更新があった場合は（Ｓ３４２でＹＥＳ）、ステップＳ３２８以降の処理を続ける。更新が無い場合は（Ｓ３４２でＮＯ）、スレーブ１２の接続待ち時間を経過したか否かを判定し、所定の接続待ち時間が経過していない場合は（Ｓ３４３でＮＯ）、ステップＳ３４２以降の処理を続ける。スレーブ１２の接続待ち時間を経過した場合は（Ｓ３４３でＹＥＳ）、ステップＳ３４１以降の処理を続ける。
【０２０１】
ステップＳ３４４以降ステップＳ３４８までの処理は、実施の形態２におけるステップＳ２３９以降ステップＳ２４３までの処理と同様であるので、説明は省略する。
【０２０２】
上記手順においては、携帯電話機１１をマスター１１とし、携帯電話機１２をスレーブ１２としたが、これに限られるものではなく、携帯電話機１１、１２いずれも、マスターからスレーブ、又はスレーブからマスターへと変更することが可能であることは実施の形態２と同様である。
【０２０３】
実施の形態３においては、制御装置５はマスター１１に表示した情報に対応したＵＲＬをスレーブ１２へ送信する構成であったが、ＵＲＬに限られず、表示した情報に対応するウェブページ識別番号をスレーブ１２へ送信する構成であってもよい。また、スレーブ１２が「マスター１１の表示するウェブページ要求」を制御装置５へ送信する場合に、スレーブ１２の画面上に表示されているＵＲＬを制御装置５へ送信し、制御装置５は、マスター１１の表示する情報に対応するＵＲＬとスレーブ１２の表示する情報に対応するＵＲＬとが一致するか否かを判定する構成であったが、ＵＲＬに限られず、表示した情報に対応するウェブページ識別番号を用いる構成であってもよい。
【０２０４】
また、実施の形態２と同様に、携帯電話機１１、１２のユーザーは、過去に表示した情報の履歴を記憶し、過去に表示した情報を相手側の携帯電話機にも表示させたい場合は、携帯電話機１１、１２のユーザーは、過去に表示した情報を画面上で選択することにより、携帯電話機１１、１２は、前記情報に対応するＵＲＬ又はウェブページ識別番号を制御装置５へ送信する。前記ＵＲＬ又はウェブページ識別番号を受信した制御装置５は、前記ＵＲＬ又はウェブページ識別番号を、相手側の携帯電話機１１、１２のいずれかへ送信し、相手側の携帯電話機１１、１２のいずれかは、受信したＵＲＬ又はウェブページ識別番号に対応する情報を記憶している場合は、該情報を表示する。また、前記情報を記憶していない場合は、受信したＵＲＬ又はウェブページ識別番号を制御装置５へ送信し、該ＵＲＬ又はウェブページ識別番号により特定される情報を要求し、制御装置５は該情報を取得した後に相手側の携帯電話機１１、１２のいずれかへ送信することができる。
【図面の簡単な説明】
【０２０５】
【図１】本発明に係る情報表示システムの概要を示す模式図である。
【図２】ＷＷＷサーバーコンピュータのハードウェア構成を示すブロック図である。
【図３】携帯電話機の構成を示すブロック図である。
【図４】マルチアクセスの接続手順の概要を示す説明図である。
【図５】制御装置のハードウェア構成を示すブロック図である。
【図６】制御プログラムの構成を示す説明図である。
【図７】加入者情報ＤＢのレコードレイアウトを示す説明図である。
【図８】許容者情報ＤＢのレコードレイアウトを示す説明図である。
【図９】個人情報ＤＢのレコードレイアウトを示す説明図である。
【図１０】リンク情報ＤＢのレコードレイアウトを示す説明図である。
【図１１】情報表示システムの処理手順を示すフローチャートである。
【図１２】情報表示システムの処理手順を示すフローチャートである。
【図１３】情報表示システムの処理手順を示すフローチャートである。
【図１４】情報表示システムの処理手順を示すフローチャートである。
【図１５】情報表示システムの処理手順を示すフローチャートである。
【図１６】情報表示システムの処理手順を示すフローチャートである。
【図１７】情報表示システムの処理手順を示すフローチャートである。
【図１８】情報表示システムの処理手順を示すフローチャートである。
【図１９】情報表示システムの処理手順を示すフローチャートである。
【図２０】携帯電話機の表示画面と音声通話の例を示す説明図である。
【図２１】制御装置のハードウェア構成を示すブロック図である。
【図２２】リンケージ情報ＤＢのレコードレイアウトを示す説明図である。
【図２３】マッチング情報ＤＢのレコードレイアウトを示す説明図である。
【図２４】ウェブページ識別ＤＢのレコードレイアウトを示す説明図である。
【図２５】情報表示システムの処理手順を示すフローチャートである。
【図２６】情報表示システムの処理手順を示すフローチャートである。
【図２７】情報表示システムの処理手順を示すフローチャートである。
【図２８】情報表示システムの処理手順を示すフローチャートである。
【図２９】情報表示システムの処理手順を示すフローチャートである。
【図３０】情報表示システムの処理手順を示すフローチャートである。
【図３１】ウェブページ識別ＤＢのレコードレイアウトを示す説明図である。
【図３２】情報表示システムの処理手順を示すフローチャートである。
【図３３】情報表示システムの処理手順を示すフローチャートである。
【図３４】情報表示システムの処理手順を示すフローチャートである。
【図３５】情報表示システムの処理手順を示すフローチャートである。
【図３６】情報表示システムの処理手順を示すフローチャートである。
【図３７】情報表示システムの処理手順を示すフローチャートである。
【図３８】情報表示システムの処理手順を示すフローチャートである。
【符号の説明】
【０２０６】
３  通信回線
４  ゲートウェイ装置
５  制御装置
６  インターネット
７  ＷＷＷサーバーコンピュータ（情報提供装置）
８  固定網／移動通信網
１１、１２  携帯電話機（情報通信機）
２１、２２  基地局装置
３０、３１  交換機
３２  回線交換・パケット交換網
３３  ゲートウェイ交換機
５０  ＣＰＵ
５１  ＲＡＭ
５３  通信部（受信手段、送信手段）
７５  通信部（受信手段、送信手段）
１１２  ウェブブラウザ（表示手段）
１１５  送受信部（受信手段、送信手段）
１１６  表示部（表示手段）
５１０  制御プログラム
５１１  ＨＴＴＰ制御部
５１２  メニュー制御部
５１３  電子メール制御部（送信手段）
５１４  リンク制御部
５１５  受信部（受信手段）
５１６  送信部（送信手段）
５１７  記憶部（記憶手段）
５１８  判定部（判定手段）  
５２  記憶部
５２０  加入者情報ＤＢ
５２１  個人情報ＤＢ
５２２  許容者情報ＤＢ
５２３  リンク情報ＤＢ
５２４  Ｃ−ＨＴＭＬファイル
５２５  画像ファイル
５２６  リンケージ情報ＤＢ
５２７  マッチング情報ＤＢ
５２８  ウェブページ識別ＤＢ
５３  通信部
５４  表示部
５５  入力部
５６  バス
【図１】
2005210236.tif 000003
【図２】
2005210236.tif 000004
【図３】
2005210236.tif 000005
【図４】
2005210236.tif 000006
【図５】
2005210236.tif 000007
【図６】
2005210236.tif 000008
【図７】
2005210236.tif 000009
【図８】
2005210236.tif 000010
【図９】
2005210236.tif 000011
【図１０】
2005210236.tif 000012
【図１１】
2005210236.tif 000013
【図１２】
2005210236.tif 000014
【図１３】
2005210236.tif 000015
【図１４】
2005210236.tif 000016
【図１５】
2005210236.tif 000017
【図１６】
2005210236.tif 000018
【図１７】
2005210236.tif 000019
【図１８】
2005210236.tif 000020
【図１９】
2005210236.tif 000021
【図２０】
2005210236.tif 000022
【図２１】
2005210236.tif 000023
【図２２】
2005210236.tif 000024
【図２３】
2005210236.tif 000025
【図２４】
2005210236.tif 000026
【図２５】
2005210236.tif 000027
【図２６】
2005210236.tif 000028
【図２７】
2005210236.tif 000029
【図２８】
2005210236.tif 000030
【図２９】
2005210236.tif 000031
【図３０】
2005210236.tif 000032
【図３１】
2005210236.tif 000033
【図３２】
2005210236.tif 000034
【図３３】
2005210236.tif 000035
【図３４】
2005210236.tif 000036
【図３５】
2005210236.tif 000037
【図３６】
2005210236.tif 000038
【図３７】
2005210236.tif 000039
【図３８】
2005210236.tif 000040